(57)【特許請求の範囲】
【請求項１】
物体側より像側へ順に、負の光学的パワーを有する第１レンズ群と、負の光学的パワーを有する第２レンズ群と、正の光学的パワーを有する第３レンズ群と、負の光学的パワーを有する第４レンズ群とからなる４成分構成であって、
前記第１レンズ群内には、光学的パワーを有するレンズが負レンズ１枚のみであり、
前記第３レンズ群が下記（１）の条件式を満足し、
前記第４レンズ群が下記（５）の条件式を満足すること
を特徴とする変倍光学系。
１．４＜β３ｔ／β３ｗ＜４      ・・・（１）
１．１＜｜ｆ４／ｆｗ｜＜９      ・・・（５）
ただし、
β３ｔ：望遠端での第３レンズ群の像倍率
β３ｗ：広角端での第３レンズ群の像倍率
ｆ４：第４レンズ群の合成焦点距離
ｆｗ：広角端での全系の焦点距離
【請求項２】
物体側より像側へ順に、負の光学的パワーを有する第１レンズ群と、負の光学的パワーを有する第２レンズ群と、正の光学的パワーを有する第３レンズ群と、負の光学的パワーを有する第４レンズ群とからなる４成分構成であって、
前記第１レンズ群内には、光学的パワーを有するレンズが負レンズ１枚のみであり、
前記第３レンズ群が下記（２）の条件式を満足し、
前記第４レンズ群が下記（５）の条件式を満足すること
を特徴とする変倍光学系。
０．５＜（β３ｔ／β３ｗ）／Ｚ＜２      ・・・（２）
１．１＜｜ｆ４／ｆｗ｜＜９      ・・・（５）
ただし、
β３ｔ：望遠端での第３レンズ群の像倍率
β３ｗ：広角端での第３レンズ群の像倍率
Ｚ：全系の変倍比
ｆ４：第４レンズ群の合成焦点距離
ｆｗ：広角端での全系の焦点距離
【請求項３】
前記第３レンズ群は、下記（３）および（４）の条件式を満たすこと
を特徴とする請求項１または請求項２に記載の変倍光学系。
１．２５＜ｆ３／ｆｗ＜２      ・・・（３）
７１≦ｖ３ｐ≦１００      ・・・（４）
ただし、
ｆ３：第３レンズ群の合成焦点距離
ｆｗ：広角端での全系の焦点距離
ｖ３ｐ：第３レンズ群内の正レンズのアッベ数の最大値
【請求項４】
前記第４レンズ群が下記（６）の条件式を満足すること
を特徴とする請求項１ないし請求項３のいずれか１項に記載の変倍光学系。
０．３＜（β４ｔ／β４ｗ）／Ｚ＜０．８      ・・・（６）
ただし、
β４ｔ：望遠端での第４レンズ群の像倍率
β４ｗ：広角端での第４レンズ群の像倍率
Ｚ：全系の変倍比
【請求項５】
前記第４レンズ群は、負レンズ１枚のみから構成されること
を特徴とする請求項１ないし請求項４のいずれか１項に記載の変倍光学系。
【請求項６】
前記第４レンズ群を移動することによって、無限遠物体から近距離物体へのフォーカシングを行うこと
を特徴とする請求項１ないし請求項５のいずれか１項に記載の変倍光学系。
【請求項７】
前記第１レンズ群は、変倍時に固定であり、
前記第１レンズ群内に反射部材を有すること
を特徴とする請求項１ないし請求項６のいずれか１項に記載の変倍光学系。
【請求項８】
請求項１ないし請求項７のいずれか１項に記載の変倍光学系と、
光学像を電気的な信号に変換する撮像素子とを備え、
前記変倍光学系が前記撮像素子の受光面上に物体の光学像を形成可能とされていること
を特徴とする撮像装置。
【請求項９】
請求項８に記載の撮像装置と、
前記撮像装置に被写体の静止画撮影および動画撮影の少なくとも一方の撮影を行わせる制御部とを備え、
前記撮像装置の変倍光学系が、前記撮像素子の受光面上に前記被写体の光学像を形成可能に組み付けられていること
を特徴とするデジタル機器。
【請求項１０】
前記撮像素子の出力に対し所定の画像処理を行う画像処理部をさらに有すること
を特徴とする請求項９に記載のデジタル機器。
【請求項１１】
前記所定の画像処理は、前記撮像素子の受光面上に形成される前記被写体の光学像における歪みを補正する歪補正処理を含むこと
を特徴とする請求項１０に記載のデジタル機器。
【請求項１２】
携帯端末から成ること
を特徴とする請求項９ないし請求項１１のいずれか１項に記載のデジタル機器。
【発明の詳細な説明】
【技術分野】
【０００１】
本発明は、変倍光学系に関し、特に、コンパクト化の可能な変倍光学系に関する。そして、本発明は、この変倍光学系を備える撮像装置およびこの撮像装置を搭載したデジタル機器に関する。
【背景技術】
【０００２】
近年、携帯電話機やＰＤＡ（Personal Digital Assistants）等の携帯可能な通信機能を備えた携帯端末の普及が目覚ましく、これらの機器にコンパクトな例えばデジタルスチルカメラやデジタルビデオカメラ等の静止画撮影や動画撮影可能な撮像装置が内蔵されることが多い。これらの機器に搭載される撮像装置は、通常、サイズ（大きさ）やコストの制約が厳しい。このため、単体のいわゆるデジタルカメラに較べて、低画素で小型の撮像素子を用い、１〜３枚程度のプラスチックレンズから構成される単焦点光学系を備えた撮像装置が一般的に採用されている。しかしながら、これらの機器に搭載される撮像装置も高画素化や高機能化が進展してきており、このため、高画素撮像素子に対応可能で、かつ約２．５倍程度を超える変倍比で撮影者から離れた被写体も撮影可能であって、これらの機器に搭載することができるコンパクトな変倍光学系が要求されている。
【０００３】
この変倍光学系としては、例えば、特許文献１が挙げられる。この特許文献１に記載の変倍光学系は、いわゆるデジタルカメラ用にコンパクト化を図った負負正負の４成分の光学系であるが、上記携帯端末等の機器に搭載する上でコンパクト化の点で充分ではない。
【先行技術文献】
【特許文献】
【０００４】
【特許文献１】特開２００６−０９８９６２号公報
【発明の概要】
【発明が解決しようとする課題】
【０００５】
本発明は、上述の事情に鑑みて為された発明であり、その目的は、低コスト化を図りつつ、よりコンパクト化を達成することができる変倍光学系、これを備えた撮像装置およびデジタル機器を提供することである。
【課題を解決するための手段】
【０００６】
本発明は、上記技術的課題を解決するために、以下のような構成を有する変倍光学系、撮像装置およびデジタル機器を提供するものである。なお、以下の説明において使用されている用語は、本明細書においては、次の通り定義されているものとする。
（ａ）屈折率は、ｄ線の波長（５８７．５６ｎｍ）に対する屈折率である。
（ｂ）アッベ数は、ｄ線、Ｆ線（波長４８６．１３ｎｍ）、Ｃ線（波長６５６．２８ｎｍ）に対する屈折率を各々ｎｄ、ｎＦ、ｎＣ、アッベ数をνｄとした場合に、
νｄ＝（ｎｄ−１）／（ｎＦ−ｎＣ）
の定義式で求められるアッベ数νｄをいうものとする。
（ｃ）レンズについて、「凹」、「凸」または「メニスカス」という表記を用いた場合、これらは光軸近傍（レンズの中心付近）でのレンズ形状を表しているものとする。
（ｄ）接合レンズを構成している各単レンズにおける光学的パワー（焦点距離の逆数）の表記は、単レンズのレンズ面の両側が空気である場合におけるパワーである。
（ｅ）複合型非球面レンズに用いる樹脂材料は、基板ガラス材料の付加的機能しかないため、単独の光学部材として扱わず、基板ガラス材料が非球面を有する場合と同等の扱いとし、レンズ枚数も１枚として取り扱うものとする。そして、レンズ屈折率も基板となっているガラス材料の屈折率とする。複合型非球面レンズは、基板となるガラス材料の上に薄い樹脂材料を塗布して非球面形状としたレンズである。
【０００７】
本発明の一態様に係る変倍光学系は、物体側より像側へ順に、負の光学的パワーを有する第１レンズ群と、負の光学的パワーを有する第２レンズ群と、正の光学的パワーを有する第３レンズ群と、負の光学的パワーを有する第４レンズ群とからなる４成分構成であって、前記第１レンズ群内には、光学的パワーを有するレンズが負レンズ１枚のみであり、前記第３レンズ群が下記（１）の条件式を満足し、前記第４レンズ群が下記（５）の条件式を満足することを特徴とする。
１．４＜β３ｔ／β３ｗ＜４      ・・・（１）
１．１＜｜ｆ４／ｆｗ｜＜９      ・・・（５）
ただし、β３ｔは、望遠端での第３レンズ群の像倍率であり、β３ｗは、広角端での第３レンズ群の像倍率であり、ｆ４は、第４レンズ群の合成焦点距離であり、ｆｗは、広角端での全系の焦点距離である。
【０００８】
また、本発明の他の一態様に係る変倍光学系は、物体側より像側へ順に、負の光学的パワーを有する第１レンズ群と、負の光学的パワーを有する第２レンズ群と、正の光学的パワーを有する第３レンズ群と、負の光学的パワーを有する第４レンズ群とからなる４成分構成であって、前記第１レンズ群内には、光学的パワーを有するレンズが負レンズ１枚のみであり、前記第３レンズ群が下記（２）の条件式を満足し、前記第４レンズ群が下記（５）の条件式を満足することを特徴とする。
０．５＜（β３ｔ／β３ｗ）／Ｚ＜２      ・・・（２）
１．１＜｜ｆ４／ｆｗ｜＜９      ・・・（５）
ただし、β３ｔは、望遠端での第３レンズ群の像倍率であり、β３ｗは、広角端での第３レンズ群の像倍率であり、Ｚは、全系の変倍比であり、ｆ４は、第４レンズ群の合成焦点距離であり、ｆｗは、広角端での全系の焦点距離である。なお、条件式（２）は、全系の変倍比Ｚの観点から、上述の変倍光学系を規定したものである。
【０００９】
このような構成の変倍光学系では、負リードの光学系であり、変倍比が２〜３倍程度のズームレンズにおいて、光学全長・前玉径のサイズや誤差感度の面から有利である。また、本変倍光学系では、第１レンズ群内には、光学的パワーを有するレンズが負レンズ１枚のみが含まれる構成とすることによって、偏芯誤差感度が厳しくなりがちな第１レンズ群内のレンズ間光軸調整が不要となり、比較的大幅なコストダウンを図ることが可能となる。そして、本変倍光学系では、主に第３レンズ群が変倍負担を担う構成と成っているため第３レンズ群の変倍負担が大きいが、前記条件式（１）もしくは条件式（２）を満たすことによって、変倍移動量の短縮化による本変倍光学系全体（ユニット）のコンパクト化が可能となる。すなわち、前記条件式（１）の下限を下回ると、もしくは前記条件式（２）の下限を下回ると、変倍時の移動距離が増加してしまい、本変倍光学系のコンパクト化が図れなくなって、好ましくない。
【００１０】
一方、前記条件式（１）の上限を上回ると、もしくは前記条件式（２）の上限を上回ると、第３レンズ群の偏芯誤差感度が高くなりすぎ、軸上コマ収差や片ボケと呼ばれる画面内で非対称なボケを発生させてしまい、画質の劣化を招いてしまい、好ましくない。前記条件式（５）は、第４レンズ群にも変倍負担を担わせる場合に、条件式（１）のもとで、２〜３倍程度の変倍比を実現するために必要な範囲である。すなわち、前記条件式（５）の上限を上回ると、コンパクト性を維持しようとする場合に、第３レンズ群の変倍負担が大きくなってしまうため、第３レンズ群の偏芯誤差感度が高くなってしまい、好ましくない。また、前記条件式（５）の下限を下回ると、第４レンズ群での射出瞳位置変動が大きくなり、撮像素子への光線入射角が大きくなってしまうとともに、広角端と望遠端での撮像素子への光線入射角の差が増大し、シェーディングが発生して画質が劣化してしまい、好ましくない。
【００１１】
ここで、本発明で言うコンパクト化（小型化）とは、変倍光学系の全系において、広角端での最も物体側のレンズ面から像側焦点までの光軸上の距離をＴＬとし、そして、固体撮像素子の撮像面対角線長(固体撮像素子の矩形実効画素領域の対角線長)を２Ｙ’とする場合に、“ＴＬ／２Ｙ’＜５．２”を満たすレベルを言う。これによって変倍光学系全体のコンパクト化が可能となり、この結果、撮像装置全体の小型軽量化やデジタル機器全体の小型軽量化も可能となる。
【００１２】
また、他の一態様では、これら上述の変倍光学系において、前記第３レンズ群は、下記（３）および（４）の条件式を満たすことを特徴とする。
１．２５＜ｆ３／ｆｗ＜２      ・・・（３）
７１≦ｖ３ｐ≦１００      ・・・（４）
ただし、ｆ３は、前記第３レンズ群の合成焦点距離であり、ｖ３ｐは、前記第３レンズ群内の正レンズのアッベ数の最大値である。
【００１３】
前記条件式（３）は、光学的パワーの観点から、これら上述の変倍光学系を規定したものである。すなわち、前記条件式（３）の上限を上回ると、変倍時の移動距離が増加してしまい、本変倍光学系のコンパクト化が図れなくなって、好ましくない。また、前記条件式（３）の下限を下回ると、第３レンズ群の偏芯誤差感度が高くなりすぎ、軸上コマ収差や片ボケと呼ばれる画面内で非対称なボケを発生させてしまい、画質の劣化を招いてしまい、好ましくない。
【００１４】
また、前記条件式（４）は、前記条件式（３）の下で軸上色収差を低減するための条件である。すなわち、前記条件式（４）の下限を下回ると、軸上色収差の補正が困難となって、好ましくない。一方、前記条件式（４）の上限を上回ると、同一の光学的パワーを得ようとすると曲率半径が小さくなり、偏肉比が大きくなって、樹脂レンズの場合にはウェルドや複屈折が発生してしまい、またガラスレンズの場合には屈折率分布や面精度の低下が発生してしまい、好ましくない。
【００１７】
また、他の一態様では、これら上述の変倍光学系において、前記第４レンズ群が下記（６）の条件式を満足することを特徴とする。
０．３＜（β４ｔ／β４ｗ）／Ｚ＜０．８      ・・・（６）
ただし、β４ｔは、望遠端での前記第４レンズ群の像倍率であり、β４ｗは、広角端での前記第４レンズ群の像倍率であり、Ｚは、全系の変倍比である。なお、条件式（６）は、全系の変倍比Ｚの観点から、上述の変倍光学系を規定したものである。
【００１８】
前記条件式（６）の下限を下回ると、コンパクト性を維持しようとする場合に、第３レンズ群の変倍負担が大きくなってしまうため、第３レンズ群の偏芯誤差感度が高くなってしまい、好ましくない。一方、前記条件式（６）の上限を上回ると、第３レンズ群と第４レンズ群との相対位置精度が厳しくなりすぎ、群間調整が必要となるとともに、駆動装置による光軸方向あるいは偏芯方向の位置誤差がシビアとなり、駆動装置のコストアップにつながってしまい、好ましくない。
【００１９】
また、他の一態様では、これら上述の変倍光学系において、前記第４レンズ群は、負レンズ１枚のみから構成されることを特徴とする。
【００２０】
このように第４レンズ群を負レンズ１枚のみの構成とすることによって、第４レンズ群を駆動する駆動装置の負荷を減らすことができ、また第４レンズ群内の光軸調整が不要となるため、コストダウンを図ることもできる。
【００２１】
また、他の一態様では、これら上述の変倍光学系において、前記第４レンズ群を移動することによって、無限遠物体から近距離物体へのフォーカシングを行うことを特徴とする。
【００２２】
このように第４レンズ群でフォーカシングを行うことによって、フォーカシングに伴う移動量を抑えることができ、収差変動も小さくすることが可能となる。
【００２３】
また、他の一態様では、これら上述の変倍光学系において、前記第１レンズ群は、変倍時に固定であり、前記第１レンズ群内に反射部材を有することを特徴とする。
【００２４】
このように第１レンズ群を変倍時に固定とすることによって、第１レンズ群のレンズ有効径を抑えることが可能となる。また、第１レンズ群が可動の場合には、第１レンズ群の外側に駆動装置を配置しなければならず、外径方向のサイズアップに繋がるが、このように第１レンズ群を変倍時に固定とすることによって、外径方向のコンパクト化に対して非常に効果的である。さらに、反射部材を配置することによって、光学系の薄型化を図ることが可能となり、本変倍光学系が搭載される機器の形状自由度を高めることが可能となる。
【００２５】
そして、本発明の他の一態様にかかる撮像装置は、これら上述の構成のいずれかの変倍光学系と、光学像を電気的な信号に変換する撮像素子とを備え、前記変倍光学系が前記撮像素子の受光面上に物体の光学像を形成可能とされていることを特徴とする。
【００２６】
この構成によれば、コンパクト化を達成することができる撮像装置を提供することができる。
【００２７】
そして、本発明の他の一態様にかかるデジタル機器は、上述の撮像装置と、前記撮像装置に被写体の静止画撮影および動画撮影の少なくとも一方の撮影を行わせる制御部とを備え、前記撮像装置の変倍光学系が、前記撮像素子の受光面上に前記被写体の光学像を形成可能に組み付けられていることを特徴とする。そして、好ましくは、デジタル機器は、携帯端末から成る。
【００２８】
この構成によれば、コンパクト化を達成することができるデジタル機器や携帯端末を提供することができる。
【００２９】
また、他の一態様では、上述のデジタル機器において、前記撮像素子の出力に対し所定の画像処理を行う画像処理部をさらに有することを特徴とする。そして、好ましくは、前記所定の画像処理は、前記撮像素子の受光面上に形成される前記被写体の光学像における歪みを補正する歪補正処理を含む。画像処理部を有することで、光学的に補正しきれない収差や周辺光量低下を軽減することが可能となる。
【００３０】
この構成によれば、所定の画像処理を行うデジタル機器を提供することができる。例えば、光学的に補正しきれない収差を情報処理による画像処理によって補正したり、また例えば、周辺光量の低下を情報処理による画像処理によって補正したり等することができる。
【００３１】
また、例えば、歪曲収差を情報処理による画像処理で補正する構成では、特に、最物体側や像面に近いレンズによる収差負担が大幅に軽減されるため、レンズ枚数の削減につながり、射出瞳位置の制御も容易となるため、レンズ形状を加工性の良い形状にすることができる。特に、第１レンズ群内に光学的パワーを有するレンズが負レンズ１枚のみで構成する場合や、第４レンズ群を負レンズ１枚のみで構成する場合には、画像の歪みを補正することが特に効果的である。あるいは、このような歪曲収差を情報処理による画像処理で補正する構成では、歪曲収差を除く他の諸収差だけを考慮すればよいので、変倍光学系の設計の自由度が増し、設計がより容易となる。
【発明の効果】
【００３２】
本発明によれば、コンパクト化を達成することができる変倍光学系、撮像装置およびデジタル機器の提供が可能となる。
【図面の簡単な説明】
【００３３】
【図１】実施形態における変倍光学系の説明のための、その構成を模式的に示したレンズ断面図である。
【図２】主光線の像面入射角の定義を示す模式図である。
【図３】実施形態におけるデジタル機器の構成を示すブロック図である。
【図４】デジタル機器の一実施形態を示すカメラ付携帯電話機の外観構成図である。
【図５】実施例１における変倍光学系におけるレンズ群の配列を示す断面図である。
【図６】実施例１の変倍光学系の変倍における各レンズ群の移動の様子を示す図である。
【図７】実施例２における変倍光学系におけるレンズ群の配列を示す断面図である。
【図８】実施例３における変倍光学系におけるレンズ群の配列を示す断面図である。
【図９】実施例３の変倍光学系の変倍における各レンズ群の移動の様子を示す図である。
【図１０】実施例４における変倍光学系におけるレンズ群の配列を示す断面図である。
【図１１】実施例５における変倍光学系におけるレンズ群の配列を示す断面図である。
【図１２】実施例６における変倍光学系におけるレンズ群の配列を示す断面図である。
【図１３】実施例７における変倍光学系におけるレンズ群の配列を示す断面図である。
【図１４】実施例８における変倍光学系におけるレンズ群の配列を示す断面図である。
【図１５】実施例９における変倍光学系におけるレンズ群の配列を示す断面図である。
【図１６】実施例１０における変倍光学系におけるレンズ群の配列を示す断面図である。
【図１７】実施例１０の変倍光学系の変倍における各レンズ群の移動の様子を示す図である。
【図１８】実施例１１における変倍光学系におけるレンズ群の配列を示す断面図である。
【図１９】実施例１２における変倍光学系におけるレンズ群の配列を示す断面図である。
【図２０】実施例１３における変倍光学系におけるレンズ群の配列を示す断面図である。
【図２１】実施例１３の変倍光学系の変倍における各レンズ群の移動の様子を示す図である。
【図２２】実施例１４における変倍光学系におけるレンズ群の配列を示す断面図である。
【図２３】実施例１４の変倍光学系の変倍における各レンズ群の移動の様子を示す図である。
【図２４】実施例１における変倍光学系の収差図である。
【図２５】実施例２における変倍光学系の収差図である。
【図２６】実施例３における変倍光学系の収差図である。
【図２７】実施例４における変倍光学系の収差図である。
【図２８】実施例５における変倍光学系の収差図である。
【図２９】実施例６における変倍光学系の収差図である。
【図３０】実施例７における変倍光学系の収差図である。
【図３１】実施例８における変倍光学系の収差図である。
【図３２】実施例９における変倍光学系の収差図である。
【図３３】実施例１０における変倍光学系の収差図である。
【図３４】実施例１１における変倍光学系の収差図である。
【図３５】実施例１２における変倍光学系の収差図である。
【図３６】実施例１３における変倍光学系の収差図である。
【図３７】実施例１４における変倍光学系の収差図である。
【発明を実施するための形態】
【００３４】
以下、本発明にかかる実施の一形態を図面に基づいて説明する。なお、各図において同一の符号を付した構成は、同一の構成であることを示し、適宜、その説明を省略する。また、接合レンズにおけるレンズ枚数は、接合レンズ全体で１枚ではなく、接合レンズを構成する単レンズの枚数で表すこととする。
【００３５】
図１は、実施形態における変倍光学系の説明のための、その構成を模式的に示したレンズ断面図である。
【００３６】
図１において、この変倍光学系１は、光学像を電気的な信号に変換する撮像素子１６の受光面（像面）上に、物体（被写体）の光学像を形成するものであって、物体側より像側へ順に、負の光学的パワーを有する第１レンズ群１１と、負の光学的パワーを有する第２レンズ群１２と、正の光学的パワーを有する第３レンズ群１３と、負の光学的パワーを有する第４レンズ群１４とを含み、第１レンズ群１１内には、光学的パワーを有するレンズが負レンズ１枚のみである光学系である。なお、図１で例示した変倍光学系１は、後述する実施例１の変倍光学系１Ａ（図４）と同じ構成である。
【００３７】
図１では、第１レンズ群１１は、広角端から望遠端への変倍において固定し、物体側より像側へ順に、前記１枚の負レンズとして、物体側に凸の負メニスカスレンズ１１１と、プリズム１１２とから構成されて成り、第２レンズ群１２は、変倍において移動し、物体側より像側へ順に、両凹の負レンズ１２１と、物体側に凸の正メニスカスレンズ１２２とから構成されて成り、第３レンズ群１３は、変倍において移動し、物体側より像側へ順に、両凸の正レンズ１３１と、両凸の正レンズ１３２と、両凹の負レンズ１３３と、両凸の正レンズ１３４とから構成されて成り、第４レンズ群１４は、変倍において移動し、像側に凸の負メニスカスレンズ１４１から構成されて成る例を示している。
【００３８】
正レンズ１３１および負メニスカスレンズ１４１は、両面が非球面である。これら正レンズ１３１および負メニスカスレンズ１４１の非球面レンズは、例えばガラスモールドレンズであってもよく、また例えば、プラスチック等の樹脂材料製レンズであってもよい。特に、携帯端末に搭載する場合には軽量化の観点から、樹脂材料製レンズが好ましい。図１に示す例では、負メニスカスレンズ１４１は、樹脂材料製レンズである。負レンズ１２１と正メニスカスレンズ１２２と、および、正レンズ１３２と負レンズ１３３と正レンズ１３４とは、それぞれ、接合レンズである。
【００３９】
そして、変倍光学系１には、光学絞りＳＴが正レンズ１３１の物体側に配置されており、第３レンズ群１３と共に移動する。光学絞りＳＴは、メカニカルシャッタであってもよい。
【００４０】
そして、この実施形態にかかる変倍光学系１は、望遠端での第３レンズ群１３の像倍率をβ３ｔとし、広角端での第３レンズ群１３の像倍率をβ３ｗとする場合に、下記（１）の条件式を満足するものである。あるいは、この変倍光学系１は、全系の変倍比をＺとする場合に、下記（２）の条件式を満足するものである。なお、この条件式（２）は、全系の変倍比Ｚの観点から、変倍光学系１を規定したものである。
１．４＜β３ｔ／β３ｗ＜４      ・・・（１）
あるいは、
０．５＜（β３ｔ／β３ｗ）／Ｚ＜２      ・・・（２）
さらに、この変倍光学系１の像側には、フィルタ１６や撮像素子１７が配置される。フィルタ１６は、平行平板状の光学素子であり、各種光学フィルタや、撮像素子のカバーガラス等を模式的に表したものである。使用用途、撮像素子、カメラの構成等に応じて、ローパスフィルタ、赤外線カットフィルタ等の光学フィルタを適宜に配置することが可能である。撮像素子１７は、この変倍光学系１によって結像された被写体の光学像における光量に応じてＲ（赤）、Ｇ（緑）、Ｂ（青）の各成分の画像信号に光電変換して所定の画像処理回路（不図示）へ出力する素子である。これらによって物体側の被写体の光学像が、変倍光学系１によりその光軸ＡＸに沿って適宜な変倍比で撮像素子１７の受光面まで導かれ、撮像素子１７によって前記被写体の光学像が撮像される。
【００４１】
このような構成の変倍光学系１では、負リードの光学系であり、変倍比が２〜３倍程度のズームレンズにおいて、光学全長・前玉径のサイズや誤差感度の面から有利である。また、この変倍光学系１では、第１レンズ群１１内には、光学的パワーを有するレンズが負レンズ１枚のみが含まれる構成とすることによって、偏芯誤差感度が厳しくなりがちな第１レンズ群１１内のレンズ間光軸調整が不要となり、比較的大幅なコストダウンを図ることが可能となる。そして、この変倍光学系１では、主に第３レンズ群１３が変倍負担を担う構成と成っているため第３レンズ群１３の変倍負担が大きいが、前記条件式（１）もしくは条件式（２）を満たすことによって、変倍移動量の短縮化による変倍光学系１全体（ユニット）のコンパクト化が可能となる。すなわち、前記条件式（１）の下限を下回ると、もしくは前記条件式（２）の下限を下回ると、変倍時の移動距離が増加してしまい、変倍光学系１のコンパクト化が図れなくなって、好ましくない。
【００４２】
一方、前記条件式（１）の上限を上回ると、もしくは前記条件式（２）の上限を上回ると、第３レンズ群１３の偏芯誤差感度が高くなりすぎ、軸上コマ収差や片ボケと呼ばれる画面内で非対称なボケを発生させてしまい、画質の劣化を招いてしまい、好ましくない。
【００４３】
また、この変倍光学系１では、第１レンズ群１１が変倍時に固定とされている。このような構成では、第１レンズ群１１のレンズ有効径を抑えることが可能となる。また、第１レンズ群１１が可動する場合には、第１レンズ群１１の外側に第１レンズ群１１を駆動するための駆動装置を配置する必要が生じるため、外径方向のサイズアップに繋がる。したがって、第１レンズ群１１を変倍時に固定することは、外径方向のコンパクト化に対しても非常に効果的である。
【００４４】
また、この変倍光学系１では、第１レンズ群１１内に、反射部材として、プリズム１１２を有している。プリズム１１２は、光線の方向を変える偏角プリズムであって、光線の入射面と射出面とが互いに平行でない平面よりなる透明媒質の多角柱体である。プリズム１１２は、例えば、底面が直角二等辺三角形の三角柱であって、プリズムの斜面によって光路が折り曲げられる。斜面には、必要に応じて反射膜が備えられている。このように変倍光学系１は、いわゆる屈曲光学系として構成されている。このため、物体から変倍光学系１の入射面に向かう方向における変倍光学系１の薄型化を図ることが可能となる。よって、本実施形態にかかる変倍光学系１を搭載する機器における形状の自由度を高めることが可能となる。
【００４５】
また、この変倍光学系１では、第１レンズ群１１は、その内に、反射部材として、プリズム１１２を有し、かつ、前記反射部材（プリズム１１２）の物体側に、負メニスカスレンズ１１１の１枚のみを有している。負レンズ（負メニスカスレンズ１１１）を１枚のみとすることによって、前記反射部材（プリズム１１２）よりも物体側に配置する場合には、レンズユニットの厚みを抑えることができ、反射部材（プリズム１１２）の像側に配置する場合には、第１レンズ群１１と第２レンズ群１２との間隔を接近させることができるため、光学全長の短縮に効果がある。
【００４６】
また、この変倍光学系１では、広角端から望遠端への変倍の際に、後述するように、第２レンズ群１２は、像側に凸の軌跡を描いて移動する。第２レンズ群１２がこのような軌跡を描くことによって、他の変倍群の移動により生じる焦点位置ズレを一定に保つことが可能となる。
【００４７】
また、この変倍光学系１では、第２レンズ群１２は、負レンズ１２１と正レンズ１２２とを接合した接合レンズから構成されて成る。この構成によって、第２レンズ群１２内の各レンズの製造誤差感度、特に、偏芯時の誤差感度を抑えることが可能となる。
【００４８】
また、この変倍光学系１では、第３レンズ群１３内に少なくとも１面の非球面、図１に示す例では正レンズ１３１の両面が非球面である。このように、第３レンズ群１３内に非球面を有することによって、所定の収差、例えば球面収差と非点収差を良好に補正することができる。そして、この構成によって、コンパクト化に伴う第３レンズ群１３の光学的パワーの増大によって発生する球面収差とコマ収差を良好に補正することもできる。
【００４９】
また、この変倍光学系１では、第４レンズ群１４は、その内に、少なくとも１面の非球面、図１に示す例では負メニスカスレンズ１４１の両面が非球面である。このように、第４レンズ群１４内に非球面を有することによって、軸外コマ収差の補正と像面に対するテレセントリック性とを良好に保つことができる。
【００５０】
また、この変倍光学系１では、第４レンズ群１４を移動することによって、無限遠物体から近距離物体へのフォーカシングを行っている。このように第４レンズ群１４でフォーカシングを行うことによって、フォーカシングに伴う移動量を抑えることができ、収差変動も小さくすることが可能となる。
【００５１】
また、この変倍光学系１では、第４レンズ群１４は、負レンズ１枚のみから構成されている。このように第４レンズ群１４を負レンズ１枚のみの構成とすることによって、第４レンズ群１４を駆動する駆動装置の負荷を減らすことができ、また第４レンズ群１４内の光軸調整が不要となるため、コストダウンを図ることもできる。
【００５２】
また、この変倍光学系１では、物体側より像側へ順に、物体側凸の負メニスカスレンズ１１１、プリズム１１２、から成る第１レンズ群１１、両凹の負レンズ１２１と物体側に凸の正メニスカスレンズ１２２との接合レンズ、から成る第２レンズ群１２、両凸の正レンズ１３１、両凸の正レンズ１３２と両凹の負レンズ１３３と両凸の正レンズ１３４との３枚接合レンズ、から成る第３レンズ群１３、像側に凸の負メニスカスレンズ１４１、から成る第４レンズ群１４、を備えて構成されている。このように第１レンズ群１１を負レンズ１枚で構成することによってコンパクト化に有利である。また、第２レンズ群１２を接合レンズとすることによって、倍率色収差の補正と偏芯誤差感度を低減することができる。また、第３レンズ群１３を４枚で構成することによって、３枚の正レンズを用いることで誤差感度を低減することができ、３枚接合レンズを使用することで軸上色収差の補正を充分に行うことができ、レンズ間隔誤差の敏感度を低減することができる。そして、第４レンズ群１４を負メニスカスレンズとすることによって、像面への光線入射角のテレセントリック性を確保することができる。
【００５３】
また、このような構成の変倍光学系１において、第３レンズ群１３の合成焦点距離をｆ３とし、第３レンズ群１３内の正レンズのアッベ数の最大値をｖ３ｐとする場合に、第３レンズ群１３は、下記（３）および（４）の条件式を満たすことが好ましい。
１．２５＜ｆ３／ｆｗ＜２      ・・・（３）
７１≦ｖ３ｐ≦１００      ・・・（４）
前記条件式（３）は、光学的パワーの観点から、変倍光学系１を規定したものである。すなわち、前記条件式（３）の上限を上回ると、変倍時の移動距離が増加してしまい、変倍光学系１のコンパクト化が図れなくなって、好ましくない。また、前記条件式（３）の下限を下回ると、第３レンズ群１３の偏芯誤差感度が高くなりすぎ、軸上コマ収差や片ボケと呼ばれる画面内で非対称なボケを発生させてしまい、画質の劣化を招いてしまい、好ましくない。
【００５４】
また、前記条件式（４）は、前記条件式（３）の下で軸上色収差を低減するための条件である。すなわち、前記条件式（４）の下限を下回ると、軸上色収差の補正が困難となって、好ましくない。一方、前記条件式（４）の上限を上回ると、同一の光学的パワーを得ようとすると曲率半径が小さくなり、偏肉比が大きくなって、樹脂レンズの場合にはウェルドや複屈折が発生してしまい、またガラスレンズの場合には屈折率分布や面精度の低下が発生してしまい、好ましくない。
【００５５】
また、このような構成の変倍光学系１において、第４レンズ群１４の合成焦点距離をｆ４とし、広角端での全系の焦点距離をｆｗとする場合に、第４レンズ群１４が下記（５）の条件式を満足することが好ましい。
１．１＜｜ｆ４／ｆｗ｜＜９      ・・・（５）
前記条件式（５）は、第４レンズ群にも変倍負担を担わせる場合に、条件式（１）のもとで、２〜３倍程度の変倍比を実現するために必要な範囲である。すなわち、前記条件式（５）の上限を上回ると、コンパクト性を維持しようとする場合に、第３レンズ群１３の変倍負担が大きくなってしまうため、第３レンズ群１３の偏芯誤差感度が高くなってしまい、好ましくない。また、前記条件式（５）の下限を下回ると、第４レンズ群１４での射出瞳位置変動が大きくなり、撮像素子１７への光線入射角が大きくなってしまうとともに、広角端と望遠端での撮像素子１７への光線入射角の差が増大し、シェーディングが発生して画質が劣化してしまい、好ましくない。
【００５６】
また、このような構成の変倍光学系１において、望遠端での第４レンズ群１４の像倍率をβ４ｔとし、広角端での第４レンズ群１４の像倍率をβ４ｗとし、全系の変倍比をＺとした場合に、第４レンズ群１４が下記（６）の条件式を満足することが好ましい。なお、条件式（６）は、全系の変倍比Ｚの観点から、変倍光学系１を規定したものである。
０．３＜（β４ｔ／β４ｗ）／Ｚ＜０．８      ・・・（６）
前記条件式（６）の下限を下回ると、コンパクト性を維持しようとする場合に、第３レンズ群１３の変倍負担が大きくなってしまうため、第３レンズ群１３の偏芯誤差感度が高くなってしまい、好ましくない。一方、前記条件式（６）の上限を上回ると、第３レンズ群１３と第４レンズ群１４との相対位置精度が厳しくなりすぎ、群間調整が必要となるとともに、駆動装置による光軸方向あるいは偏芯方向の位置誤差がシビアとなり、駆動装置のコストアップにつながってしまい、好ましくない。
【００５７】
また、このような構成の変倍光学系１において、望遠端での第１レンズ群１１と第２レンズ群１２の間の光軸上距離をＴ１２とし、広角端での全系の焦点距離をｆｗとし、望遠端での全系の焦点距離をｆｔとする場合に、下記（７）の条件式を満足することが好ましい。
０．０２＜Ｔ１２／（ｆｗ×ｆｔ）１／２＜０．２５      ・・・（７）
前記条件式（７）の上限を上回ると、前玉径が増大してしまうとともに光学全長が増加してしまい、小型化（コンパクト化）が図れなくなって好ましくない。また前記条件式（７）の下限を下回ると、第１レンズ群１１のレンズ鏡筒と第２レンズ群１２のレンズ鏡筒との干渉を避けるためにメカ構造が複雑となってしまい、コストアップしてしまうため、好ましくない。
【００５８】
また、このような構成の変倍光学系１において、プリズム１１２は、このプリズム１１２のd線屈折率をＮｐｒとする場合に、下記（８）の条件式を満足することが好ましい。
Ｎｐｒ≧１．８      ・・・（８）
前記条件式（８）の下限を下回ると、変倍光学系１の薄型化が不充分となるとともに、前玉径の増大に繋がって、好ましくない。
【００５９】
そして、変倍光学系１のプリズム１１２は、下記（８’）の条件式を満足することがより好ましい。
Ｎｐｒ≧１．９      ・・・（８’）
前記条件式（８’）を満足することによって、変倍光学系１のさらなる薄型化を図ることが可能となる。このため、搭載される機器の形状自由度が一層高まり、例えば折畳み型の携帯端末のように特に薄型化が要求される端末への搭載も可能となる。
【００６０】
また、このような構成の変倍光学系１において、第１レンズ群１１における最も物体側は、負レンズであり、図１に示す例では負メニスカスレンズ１１１であり、前記負レンズ（負メニスカスレンズ１１１）のd線屈折率をＮｌｎとする場合に、下記（９）の条件式を満足することであることが好ましい。
Ｎｌｎ≧１．７      ・・・（９）
このような構成では、第１レンズ群１１の最物体側を負レンズとすることによって、前玉径を小さく抑えることが可能となり、コンパクトな構成としつつ歪曲収差を良好に補正することが可能となる。そして、前記条件式（９）の下限を下回ると、前玉径が大型化してしまい、好ましくない。
【００６１】
そして、このような構成の変倍光学系１において、下記（９’）の条件式を満足することがより好ましい。
Ｎｌｎ≧１．８      ・・・（９’）
前記条件式（９’）の下限を下回ると、プリズム１１２が大型化するため、レンズユニットの厚み方向の薄型化が困難となって、好ましくない。
【００６２】
さらに、このような構成の変倍光学系１において、下記（９”）の条件式を満足することがさらに好ましい。
Ｎｌｎ≧１．９      ・・・（９”）
前記条件式（９”）を満足することによって、レンズユニットの厚みを増すことなく、撮影画角を広画角化することができ、より好ましい。
【００６３】
また、このような構成の変倍光学系１において、最大像高をＹ’とし、最物体側レンズ面の面頂点から像面までの光軸上距離（但し、バックフォーカスは空気換算長）をＴＬとする場合に、下記（１０）の条件式を満足することが好ましい。
Ｙ’／ＴＬ＞０．０９５      ・・・（１０）
前記条件式（１０）を満たすことにより、比較的コンパクトな変倍光学系１を達成することが可能となる。
【００６４】
そして、このような構成の変倍光学系１において、下記（１０’）の条件式を満足することがより好ましい。
Ｙ’／ＴＬ＞０．１      ・・・（１０’）
前記条件式（１０’）を満足することによって、携帯電話機や携帯情報端末等といった超コンパクト性が求められる機器の形状自由度を損なうことなく搭載するのに充分なコンパクト化を図ることが可能となる。
【００６５】
また、このような構成の変倍光学系１において、第４レンズ群１４は、第４レンズ群１４の合成焦点距離をｆ４とし、望遠端での全系の合成焦点距離をｆｔとする場合に、下記（１１）の条件式を満たすことが好ましい。
０．４＜｜ｆ４／ｆｔ｜＜１．２      ・・・（１１）
前記条件式（１１）の上限を上回ると、コンパクト性を維持しようとした場合に、第３レンズ群１３の変倍負担が大きくなるため、第３レンズ群１３の偏芯誤差感度が高くなってしまい、好ましくない。また、前記条件式（１１）の下限を下回ると、第４レンズ群１４での射出瞳位置変動が大きくなり、撮像素子１７への光線入射角が大きくなってしまうとともに、広角端と望遠端での撮像素子１７への光線入射角の差が増大し、撮像素子１７の前に配置したレンズアレイへの斜入射角が大きくなるため、色シェーディングが発生して画質が劣化してしまい、好ましくない。
【００６６】
また、このような構成の変倍光学系１において、第３レンズ群１３は、第３レンズ群１３の合成焦点距離をｆ３とし、望遠端での全系の合成焦点距離をｆｔとする場合に、下記（１２）の条件式を満たすことが好ましい。
０．２＜ｆ３／ｆｔ＜０．９      ・・・（１２）
前記条件式（１２）の上限を上回ると、変倍時の移動距離が増加してしまい、光学系のコンパクト化が図れなくなって、好ましくない。また、前記条件式（１２）の下限を下回ると、第３レンズ群１３の偏芯誤差感度が高くなりすぎ、軸上コマ収差や片ボケと呼ばれる画面内で非対称なボケを発生させてしまい、画質の劣化を招いてしまい、好ましくない。
【００６７】
また、このような構成の変倍光学系１において、第４レンズ群１４の最像側レンズの最像側面は、非球面であり、主光線の像面入射角の定義を示す模式図である図２に示すように、広角端において、撮像面への入射光線のうち最大画角の主光線の、像面に立てた垂線に対する角度（ｄｅｇ、度）をαｗとし、望遠端において、撮像面への入射光線のうち最大画角の主光線の、像面に立てた垂線に対する角度（ｄｅｇ、度）をαｔとする場合に、下記（１３）および（１４）の各条件式を満たすことが好ましい。なお、条件式（１３）および（１４）におけるαｗおよびαｔは、射出瞳位置が像面より物体側にある場合の主光線角度を正方向とする。
αｗ＜２８      ・・・（１３）
|αｗ-αｔ|＜１３      ・・・（１４）
前記条件式（１３）を満たすことによって、広画角を確保しつつ、コンパクト化を図ることができ、またシェーディングの少ない良好な画質を得ることが可能となる。前記条件式（１４）の上限を上回ると、撮像面手前にレンズアレイを配置したとしても、広角端または望遠端のいずれか一方で、周辺照度低下を抑えることが困難となって、好ましくない。
【００６８】
また、このような構成の変倍光学系１において、望遠端におけるバックフォーカス（空気換算長）をＬｂとし、広角端での全系の合成焦点距離をｆｗとする場合に、下記（１５）の条件式を満たすことが好ましい。
０．８＜Ｌｂ／ｆｗ＜１．６      ・・・（１５）
前記条件式（１５）の上限を上回ると、第１レンズ群１１の光学的な負パワーを非常に強くしなければならず、負レンズ１枚のみで構成する本実施形態では、非点収差や倍率色収差の補正が困難となってしまい、好ましくない。また、前記条件式（１５）の下限を下回ると、広角端と望遠端における像面への光線入射角の隔差が大きくなりすぎ、撮像面手前にレンズアレイを配置したとしても、広角端又は望遠端のいずれか一方で、周辺照度低下を抑えることが困難となってしまい、好ましくない。
【００６９】
また、このような構成の変倍光学系１において、少なくとも１枚の樹脂材料製レンズを有することが好ましい。このように樹脂材料製レンズを用いることで、安定した品質での大量生産が可能となり、大幅なコストダウンを図ることができる。
【００７０】
そして、このような構成の変倍光学系１において、前記少なくとも１枚の樹脂材料製レンズは、第４レンズ群１４内に配置されることが好ましい。第４レンズ群１４内に樹脂材料製レンズを配置することによって、光学性能への影響を最小限に抑えつつ、コストダウンを図ることができる。
【００７１】
また、このような構成の変倍光学系１において、可動する各レンズ群や光学絞り１５やシャッター（不図示）等の駆動には、カムやステッピングモータ等が用いられても良いし、あるいは、圧電アクチュエータが用いられても良い。圧電アクチュエータを用いる場合では、駆動装置の体積および消費電力の増加を抑制しつつ、各群を独立に駆動させることも可能で、撮像装置の更なるコンパクト化を図ることができる。
【００７２】
また、このような構成の変倍光学系１において、空気と面している全てのレンズ面が非球面であることが好ましい。この構成によってコンパクト化と高画質化との両立が可能となる。
【００７３】
また、このような構成の変倍光学系１において、非球面を有するガラスレンズは、ガラスモールド非球面レンズや、研削非球面ガラスレンズや、複合型非球面レンズ（球面ガラスレンズ上に非球面形状の樹脂を形成したもの）であってもよい。ガラスモールド非球面レンズは、大量生産に向き好ましく、複合型非球面レンズは、基板となり得るガラス材料の種類が多いため、設計の自由度が高くなる。特に、高屈折率材料を用いた非球面レンズでは、モールド形成が容易ではないため、複合型非球面レンズが好ましい。また、片面非球面の場合には、複合型非球面レンズの利点を最大限に活用することが可能となる。
【００７４】
また、このような構成の変倍光学系１において、第１レンズ群１１、第２レンズ群１２、第４レンズ群１４は、各３枚以下、より好ましくは各２枚以下のレンズで構成することが好ましい。このような構成によって、レンズ枚数削減によるコスト低減を達成することができる。ただし、反射部材としてプリズムを有する場合は、上記枚数にプリズムは、含まないものとする。
【００７５】
また、このような構成の変倍光学系１において、プラスチックレンズを用いる場合では、プラスチック（樹脂材料）中に最大長が３０ナノメートル以下の粒子を分散させた素材を用いて成形したレンズであることが好ましい。
【００７６】
一般に透明な樹脂材料に微粒子を混合させると、光が散乱し透過率が低下するので、光学材料として使用することが困難であったが、微粒子の大きさを透過光束の波長よりも小さくすることによって、光は、実質的に散乱しない。そして、樹脂材料は、温度上昇に伴って屈折率が低下してしまうが、無機粒子は、逆に、温度上昇に伴って屈折率が上昇する。このため、このような温度依存性を利用して互いに打ち消し合うように作用させることで、温度変化に対して屈折率変化がほとんど生じないようにすることができる。より具体的には、母材となる樹脂材料に最大長で３０ナノメートル以下の無機微粒子を分散させることによって、屈折率の温度依存性を低減した樹脂材料となる。例えば、アクリルに酸化ニオブ（Ｎｂ２Ｏ５）の微粒子を分散させる。このような構成の変倍光学系１において、少なくとも１枚のレンズに、このような無機微粒子を分散させたプラスチック材料製レンズを用いることによって、変倍光学系１の環境温度変化に伴うバックフォーカスのずれを小さく抑えることが可能となる。
【００７７】
このような無機微粒子を分散させたプラスチック材料製レンズは、以下のように成形されることが好ましい。
【００７８】
屈折率の温度変化について説明すると、屈折率の温度変化ｎ（Ｔ）は、ローレンツ・ローレンツの式に基づいて、屈折率ｎを温度Ｔで微分することによって式１６で表される。
ｎ（Ｔ）＝（（ｎ２＋２）×（ｎ２−１））／６ｎ×（−３α＋（１／［Ｒ］）×（∂［Ｒ］／∂Ｔ））      ・・・（１６）
ただし、αは、線膨張係数であり、［Ｒ］は、分子屈折である。
【００７９】
樹脂材料の場合では、一般に、屈折率の温度依存性に対する寄与は、式１６中の第１項に較べて第２項が小さく、ほぼ無視することができる。例えば、ＰＭＭＡ樹脂の場合では、線膨張係数αは、７×１０−５であって、式１９に代入すると、ｎ（Ｔ）＝−１２×１０−５（／℃）となり、実測値と略一致する。
【００８０】
具体的には、従来は、−１２×１０−５［／℃］程度であった屈折率の温度変化ｎ（Ｔ）を、絶対値で８×１０−５［／℃］未満に抑えることが好ましい。さらに好ましくは、絶対値で６×１０−５［／℃］未満にすることである。
【００８１】
よって、このような樹脂材料としては、ポリオレフィン系の樹脂材料やポリカーボネイト系の樹脂材料やポリエステル系の樹脂材料が好ましい。ポリオレフィン系の樹脂材料では、屈折率の温度変化ｎ（Ｔ）は、約−１１×１０−５（／℃）となり、ポリカーボネイト系の樹脂材料では、屈折率の温度変化ｎ（Ｔ）は、約−１４×１０−５（／℃）となり、そして、ポリエステル系の樹脂材料では、屈折率の温度変化ｎ（Ｔ）は、約−１３×１０−５（／℃）となる。
【００８２】
＜変倍光学系を組み込んだデジタル機器の説明＞
次に、上述の変倍光学系１が組み込まれたデジタル機器について説明する。
【００８３】
図３は、実施形態におけるデジタル機器の構成を示すブロック図である。デジタル機器３は、撮像機能のために、撮像部３０、画像生成部３１、画像データバッファ３２、画像処理部３３、駆動部３４、制御部３５、記憶部３６およびＩ／Ｆ部３７を備えて構成される。デジタル機器３としては、例えば、デジタルスチルカメラ、ビデオカメラ、監視カメラ（モニタカメラ）、携帯電話機や携帯情報端末（ＰＤＡ）等の携帯端末、パーソナルコンピュータおよびモバイルコンピュータを挙げることができ、これらの周辺機器（例えば、マウス、スキャナおよびプリンタなど）を含んでよい。特に、本実施形態の変倍光学系１は、携帯電話機や携帯情報端末（ＰＤＡ）等の携帯端末に搭載する上で充分にコンパクト化されており、この携帯端末に好適に搭載される。
【００８４】
撮像部３０は、撮像装置２１と撮像素子１７とを備えて構成される。撮像装置２１は、図１に示したような変倍光学系１と、光軸方向にレンズを駆動し変倍およびフォーカシングを行うための図略のレンズ駆動装置等とを備えて構成される。被写体からの光線は、変倍光学系１によって撮像素子１７の受光面上に結像され、被写体の光学像となる。
【００８５】
撮像素子１７は、上述したように、変倍光学系１により結像された被写体の光学像をＲ，Ｇ，Ｂの色成分の電気信号（画像信号）に変換し、Ｒ，Ｇ，Ｂ各色の画像信号として画像生成部３１に出力する。撮像素子１７は、制御部３５によって静止画あるいは動画のいずれか一方の撮像、または、撮像素子１７における各画素の出力信号の読出し（水平同期、垂直同期、転送）などの撮像動作が制御される。
【００８６】
画像生成部３１は、撮像素子１７からのアナログ出力信号に対し、増幅処理、デジタル変換処理等を行うと共に、画像全体に対して適正な黒レベルの決定、γ補正、ホワイトバランス調整（ＷＢ調整）、輪郭補正および色ムラ補正等の周知の画像処理を行って、画像信号から各画素の画像データを生成する。画像生成部３１で生成された画像データは、画像データバッファ３２に出力される。
【００８７】
画像データバッファ３２は、画像データを一時的に記憶するとともに、この画像データに対し画像処理部３３によって後述の処理を行うための作業領域として用いられるメモリであり、例えば、揮発性の記憶素子であるＲＡＭ（Random Access Memory）などで構成される。
【００８８】
画像処理部３３は、画像データバッファ３２の画像データに対し、解像度変換等の所定の画像処理を行う回路である。
【００８９】
また、必要に応じて画像処理部３３は、撮像素子１７の受光面上に形成される被写体の光学像における歪みを補正する公知の歪み補正処理等の、変倍光学系１では補正しきれなかった収差を補正するように構成されてもよい。歪み補正は、収差によって歪んだ画像を肉眼で見える光景と同様な相似形の略歪みのない自然な画像に補正するものである。このように構成することによって、変倍光学系１によって撮像素子１７へ導かれた被写体の光学像に歪みが生じていたとしても、略歪みのない自然な画像を生成することが可能となる。また、このような歪みを情報処理による画像処理で補正する構成では、特に、最物体側や像面に近いレンズによる収差負担が大幅に軽減されるため、レンズ枚数の削減につながり、射出瞳位置の制御も容易となるため、レンズ形状を加工性の良い形状にすることができる。特に、第１レンズ群１１内に光学的パワーを有するレンズが負レンズ１枚のみで構成する場合や、第４レンズ群１４を負レンズ１枚のみで構成する場合には、画像の歪みを補正することが特に効果的である。あるいは、歪曲収差を情報処理による画像処理で補正する構成では、歪曲収差を除く他の諸収差だけを考慮すればよいので、変倍光学系１の設計の自由度が増し、設計がより容易となる。
【００９０】
また、必要に応じて画像処理部３３は、撮像素子１７の受光面上に形成される被写体の光学像における周辺照度落ちを補正する公知の周辺照度落ち補正処理を含んでもよい。周辺照度落ち補正（シェーディング補正）は、周辺照度落ち補正を行うための補正データを予め記憶しておき、撮影後の画像（画素）に対して補正データを乗算することによって実行される。周辺照度落ちが主に撮像素子１７における感度の入射角依存性、レンズの口径食およびコサイン４乗則等によって生じるため、前記補正データは、これら要因によって生じる照度落ちを補正するような所定値に設定される。このように構成することによって、変倍光学系１によって撮像素子１７へ導かれた被写体の光学像に周辺照度落ちが生じていたとしても、周辺まで充分な照度を持った画像を生成することが可能となる。
【００９１】
駆動部３４は、制御部３５から出力される制御信号に基づいて図略の前記レンズ駆動装置を動作させることによって、所望の変倍およびフォーカシングを行わせるように変倍光学系１における１または複数のレンズ群を駆動する。
【００９２】
制御部３５は、例えばマイクロプロセッサおよびその周辺回路などを備えて構成され、撮像部３０、画像生成部３１、画像データバッファ３２、画像処理部３３、駆動部３４、記憶部３６およびＩ／Ｆ部３７の各部の動作をその機能に従って制御する。すなわち、この制御部３５によって、撮像装置２１は、被写体の静止画撮影および動画撮影の少なくとも一方の撮影を実行するよう制御される。
【００９３】
記憶部３６は、被写体の静止画撮影または動画撮影によって生成された画像データを記憶する記憶回路であり、例えば、不揮発性の記憶素子であるＲＯＭ（Read Only Memory）や、書き換え可能な不揮発性の記憶素子であるＥＥＰＲＯＭ（Electrically Erasable Programmable Read Only Memory）や、ＲＡＭなどを備えて構成される。つまり、記憶部３６は、静止画用および動画用のメモリとしての機能を有する。
【００９４】
Ｉ／Ｆ部３７は、外部機器と画像データを送受信するインターフェースであり、例えば、ＵＳＢやＩＥＥＥ１３９４などの規格に準拠したインターフェースである。
【００９５】
このような構成のデジタル機器３の撮像動作に次について説明する。
【００９６】
静止画を撮影する場合は、制御部３５は、撮像装置２１に静止画の撮影を行わせるように制御すると共に、駆動部３４を介して撮像装置２１の図略の前記レンズ駆動装置を動作させ、フォーカシングを行う。これにより、ピントの合った光学像が撮像素子１７の受光面に周期的に繰り返し結像され、Ｒ、Ｇ、Ｂの色成分の画像信号に変換された後、画像生成部３１に出力される。その画像信号は、画像データバッファ３２に一時的に記憶され、画像処理部３３により画像処理が行われた後、その画像信号に基づく画像がディスプレイ（不図示）に表示される。そして、撮影者は、前記ディスプレイを参照することで、主被写体をその画面中の所望の位置に収まるように調整することが可能となる。この状態でいわゆるシャッターボタン（不図示）が押されることによって、静止画用のメモリとしての記憶部３６に画像データが格納され、静止画像が得られる。
【００９７】
この場合において、被写体が撮像装置２１から離れた位置にある、あるいは近くの被写体を拡大したいためズーム撮影を行う場合には、制御部３５は、変倍のためのレンズ駆動を実行し、変倍光学系１に連続的にズーミングを行わせる。これによって、撮影者から離れた被写体であっても拡大率を調節することによって、通常の等倍撮影と同様、主被写体がその画面中の所望の位置に収まるように調整し、拡大された静止画像を得ることができる。
【００９８】
また、動画撮影を行う場合は、制御部３５は、撮像装置２１に動画の撮影を行わせるように制御する。後は、静止画撮影の場合と同様にして、撮影者は、前記ディスプレイ（不図示）を参照することで、撮像装置２１を通して得た被写体の像が、その画面中の所望の位置に収まるように調整することができる。この場合において、静止画撮影と同様に、被写体像の拡大率を調節することができ、前記シャッターボタン（不図示）を押すことによって、動画撮影が開始される。この撮影中において被写体の拡大率を随時変えることも可能である。
【００９９】
動画撮影時、制御部３５は、撮像装置２１に動画の撮影を行わせるように制御すると共に、駆動部３４を介して撮像装置２１の図略の前記レンズ駆動装置を動作させ、フォーカシングを行う。これによって、ピントの合った光学像が撮像素子１７の受光面に周期的に繰り返し結像され、Ｒ、Ｇ、Ｂの色成分の画像信号に変換された後、画像生成部３１に出力される。その画像信号は、画像データバッファ３２に一時的に記憶され、画像処理部３３により画像処理が行われた後、その画像信号に基づく画像がディスプレイ（不図示）に表示される。そして、もう一度前記シャッターボタン（不図示）を押すことで、動画撮影が終了する。撮影された動画像は、動画用のメモリとしての記憶部３６に導かれて格納される。
【０１００】
このような撮像装置２１およびデジタル機器３では、コンパクト化を達成することができる変倍光学系１を備えるので、コンパクト化を図りつつ高画素な撮像素子１７を採用することができる。特に、変倍光学系１が小型で高画素撮像素子に適用可能であるので、高画素化や高機能化が進む携帯端末に好適である。その一例として、携帯電話機に撮像装置２１を搭載した場合について、以下に説明する。
【０１０１】
図４は、デジタル機器の一実施形態を示すカメラ付携帯電話機の外観構成図である。図４（Ａ）は、携帯電話機の操作面を示し、図４（Ｂ）は、操作面の裏面、つまり背面を示す。
【０１０２】
図４において、携帯電話機５には、上部にアンテナ５１が備えられ、その操作面には、図４（Ａ）に示すように、長方形のディスプレイ５２、画像撮影モードの起動および静止画撮影と動画撮影との切り替えを行う画像撮影ボタン５３、変倍（ズーミング）を制御する変倍ボタン５４、シャッタボタン５５およびダイヤルボタン５６が備えられている。
【０１０３】
そして、この携帯電話機５には、携帯電話網を用いた電話機能を実現する回路が内蔵されると共に、上述した撮像部３０、画像生成部３１、画像データバッファ３２、画像処理部３３、駆動部３４、制御部３５および記憶部３６が内蔵されており、撮像部３０の撮像装置２１が背面に臨んでいる。
【０１０４】
画像撮影ボタン５３が操作されると、その操作内容を表す制御信号が制御部３５へ出力され、制御部３５は、その操作内容に応じた動作を実行する。変倍ボタン５４は、例えば、２接点式のスイッチ等で構成され、その上端部分に望遠を表す「Ｔ」の印字がされ、下端部分に広角を表す「Ｗ」の印字がされている。そして、変倍ボタン５４の印字位置が押下されることによって、それぞれの変倍動作を表す制御信号が制御部３５へ出力され、制御部３５は、その変倍動作に応じた動作を実行する。そして、シャッタボタン５５が操作されると、その操作内容を表す制御信号が制御部３５へ出力され、制御部３５は、その操作内容に応じた動作を実行する。
【０１０５】
＜変倍光学系のより具体的な実施形態の説明＞
以下、図１に示したような変倍光学系１、すなわち図３に示したようなデジタル機器３に搭載される撮像装置２１に備えられる変倍光学系１の具体的な構成を、図面を参照しつつ説明する。
【実施例１】
【０１０６】
図５は、実施例１における変倍光学系におけるレンズ群の配列を示す断面図である。図５は、広角端（ＷＩＤＥ）の場合を示している。なお、後述の実施例２ないし実施例１４における変倍光学系１Ｂ〜１Ｎのレンズ群の配列を示す断面図である図７、図８、図１０〜図１６、図１８〜図２０および図２２についても同様に広角端（ＷＩＤＥ）の場合を示している。
【０１０７】
図６は、実施例１の変倍光学系の変倍における各レンズ群の移動の様子を示す図である。“Ｗ”は、広角端の場合を示し、“Ｍ”は、広角端と望遠端との中間点の場合を示し、そして、“Ｔ”は、望遠端の場合を示している。なお、後述の図９、図１７、図２１および図２３における“Ｗ”、“Ｍ”および“Ｔ”についても同様の場合を示している。なお、図６は、後述の実施例２、実施例５、実施例６および実施例９の変倍光学系１Ｂ、１Ｅ、１Ｆ、１Ｉの変倍における各レンズ群の移動の様子を示す図でもある。
【０１０８】
図２４は、実施例１における変倍光学系の収差図である。図２４（Ａ）は、広角端（ＷＩＤＥ）の場合を示し、図２４（Ｂ）は、中間点（ＭＩＤＤＬＥ）の場合を示し、そして、図２４（Ｃ）は、望遠端（ＴＥＬＥ）の場合を示す。
【０１０９】
実施例１の変倍光学系１Ａは、図５に示すように、各レンズ群（Ｇｒ１、Ｇｒ２、Ｇｒ３、Ｇｒ４）が物体側から像側へ順に、全体として負の光学的パワーを有する第１レンズ群（Ｇｒ１）と、全体として負の光学的パワーを有する第２レンズ群（Ｇｒ２）と、光学絞りＳＴを含む全体として正の光学的パワーを有する第３レンズ群（Ｇｒ３）と、全体として負の光学的パワーを有する第４レンズ群（Ｇｒ４）とからなる負・負・正・負の４成分ズーム構成であり、ズーミングの際（変倍時）には、図６に示すように、第１レンズ群（Ｇｒ１）は、固定され、第２レンズ群（Ｇｒ２）は、移動し、第３レンズ群（Ｇｒ３）と第４レンズ群（Ｇｒ４）とは、それらの間隔が増加するように移動し、光学絞りＳＴは、第３レンズ群（Ｇｒ３）と共に移動する。
【０１１０】
より詳しくは、実施例１の変倍光学系１Ａは、各レンズ群（Ｇｒ１、Ｇｒ２、Ｇｒ３、Ｇｒ４）が物体側から像側へ順に、次のように構成されている。
【０１１１】
第１レンズ群（Ｇｒ１）は、物体側に凸の負メニスカスレンズ（第１レンズＬ１）と、プリズム（Ｌ２）とから構成されて成る。
【０１１２】
第２レンズ群（Ｇｒ２）は、両凹の負レンズ（第３レンズＬ３）と、物体側に凸の正メニスカスレンズ（第４レンズＬ４）とから構成されて成る。第３レンズＬ３と第４レンズＬ４とは、接合レンズである。
【０１１３】
第３レンズ群（Ｇｒ３）は、光学絞りＳＴと、両凸の正レンズ（第５レンズＬ５）と、両凸の正レンズ（第６レンズＬ６）と、両凹の負レンズ（第７レンズＬ７）と、両凸の正レンズ（第８レンズＬ８）とから構成されて成る。光学絞りＳＴは、第５レンズＬ５の物体側に配置され、第３レンズ群（Ｇｒ３）と共に移動する。光学絞りＳＴは、メカニカルシャッタであってもよい。第５レンズＬ５は、両面が非球面である。第６ないし第８レンズＬ６、Ｌ７、Ｌ８は、接合レンズである。
【０１１４】
第４レンズ群（Ｇｒ４）は、像側に凸の負メニスカスレンズ（第９レンズＬ９）から構成されて成る。第９レンズＬ９は、両面が非球面であり、樹脂材料製のレンズである。
【０１１５】
そして、第４レンズ群（Ｇｒ４）の像側には、フィルタとしての平行平板ＦＴを介して撮像素子ＳＲの受光面が配置されている。平行平板ＦＴは、各種光学フィルタや撮像素子のカバーガラス等である。
【０１１６】
図５において、各レンズ面に付されている番号ｒｉ（ｉ＝１，２，３，・・・）は、物体側から数えた場合のｉ番目のレンズ面（ただし、レンズの接合面は１つの面として数えるものとする。）であり、ｒｉに「＊」印が付されている面は、非球面であることを示す。なお、光学絞りＳＴ、平行平板ＦＴの両面および撮像素子ＳＲの受光面も１つの面として扱っている。このような取り扱いおよび符号の意義は、後述の実施例２ないし実施例１４についても同様である（図７、図８、図１０〜図１６、図１８〜図２０および図２２）。ただし、全く同一のものであるという意味ではなく、例えば、各実施例１〜１４の各図５、図７、図８、図１０〜図１６、図１８〜図２０および図２２を通じて、最も物体側に配置されるレンズ面には、同じ符号（ｒ１）が付されているが、これらの曲率などが各実施例１〜１４を通じて同一であるという意味ではない。
【０１１７】
このような構成の下で、物体側から入射した光線は、光軸ＡＸに沿って、順に第１レンズ群（Ｇｒ１）、第２レンズ群（Ｇｒ２）、第３レンズ群（Ｇｒ３）（途中、光学絞りＳＴを含む）、第４レンズ群（Ｇｒ３）および平行平板ＦＴを通過し、撮像素子ＳＲの受光面に物体の光学像を形成する。そして、撮像素子ＳＲでは、光学像が電気的な信号に変換される。この電気信号は、必要に応じて所定のデジタル画像処理などが施され、デジタル映像信号として例えばデジタルカメラ等のデジタル機器のメモリに記録されたり、有線あるいは無線の通信によって他のデジタル機器に伝送されたりする。
【０１１８】
この実施例１の変倍光学系１Ａでは、広角端（ＷＩＤＥ）から中間点（ＭＩＤＤＬＥ）を経て望遠端（ＴＥＬＥ）への変倍時に、図６に示すように、第１レンズ群（Ｇｒ１）は、固定され、第２レンズ群（Ｇｒ２）は、略中間点で像側に凸となる曲線を描くように移動され、第３レンズ群（Ｇｒ３）は、物体に近づく方向に略直線的に移動され、第４レンズ群（Ｇｒ４）は、物体に近づく方向に第３レンズ群（Ｇｒ３）の移動量に較べて緩やかに略直線的に移動され、そして、光学絞りＳＴは、第３レンズ群（Ｇｒ３）と共に移動する。このように広角端（ＷＩＤＥ）から望遠端（ＴＥＬＥ）への変倍において、第２ないし第４レンズ群（Ｇｒ２、Ｇｒ３、Ｇｒ４）は、移動し、第１レンズ群（Ｇｒ１）と第３レンズ群（Ｇｒ３）および第４レンズ群（Ｇｒ４）のぞれぞれとは、互いの間隔が狭くなるように移動する。
【０１１９】
また、第３レンズ群（Ｇｒ３）の物体側に例えば開口絞り等の光学絞りＳＴが配置されており、この光学絞りＳＴは、広角端から望遠端への変倍の際に、図６に示すように、第３レンズ群（Ｇｒ３）と共に物体側に移動する。このように第３レンズ群（Ｇｒ３）の物体側に光学絞りＳＴを配置することによって、前玉径の増大を防ぐことができる。また第３レンズ群（Ｇｒ３）と一体的に移動することによって、鏡筒構成を簡略化することができ、第２レンズ群（Ｇｒ２）と第３レンズ群（Ｇｒ３）との間隔を非常に接近させることができる。この第２レンズ群（Ｇｒ２）と第３レンズ群（Ｇｒ３）の間隔は、光学全長に対する影響が非常に大きいため、第２レンズ群（Ｇｒ２）と第３レンズ群（Ｇｒ３）との間隔を短縮することは、コンパクト化に効果的である。
【０１２０】
また、広角端から望遠端への変倍の際に、図６に示すように、第３レンズ群（Ｇｒ３）と第４レンズ群（Ｇｒ４）との間隔が増大する。したがって、撮像素子ＳＲへの光線入射角を抑えると共に、広角端と望遠端とにおける撮像素子ＳＲへの光線入射角の差を小さく抑えることが可能となる。
【０１２１】
実施例１の変倍光学系１Ａにおける、各レンズのコンストラクションデータを以下に示す。
【０１２２】
数値実施例１
単位  ｍｍ
面データ
面番号            ｒ        ｄ        ｎｄ        νｄ
物面              ∞        ∞
１              6.721      0.600      1.94595      17.98
２              3.949      1.433
３                ∞       5.452      1.84666      23.78
４                ∞       可変
５            -16.659      0.600      1.77250      49.65
６              4.547      0.918      1.92286      20.88
７             17.317      可変
８（絞り）        ∞       0.000
９＊            4.715      1.695      1.58311      59.46
１０＊         -6.965      0.100
１１           12.801      1.391      1.49700      81.61
１２           -6.327      0.600      1.83400      37.35
１３            3.667      2.148      1.49700      81.61
１４           -4.136      可変
１５＊         -2.786      0.600      1.53048      55.72
１６＊         -9.115      可変
１７              ∞      0.500      1.51680      64.20
１８              ∞      0.500
像面              ∞
非球面データ
第９面
Ｋ＝0.0000e+000，Ａ４＝-1.0044e-003，Ａ６＝-1.2825e-003，Ａ８＝9.2072e-004，Ａ１０＝-3.6873e-004，Ａ１２＝7.6630e-005，Ａ１４＝-6.5788e-006
第１０面
Ｋ＝0.0000e+000，Ａ４＝2.8567e-003，Ａ６＝-1.5447e-003，Ａ８＝1.1243e-003，Ａ１０＝-4.3896e-004，Ａ１２＝8.6612e-005，Ａ１４＝-6.9291e-006
第１５面
Ｋ＝0.0000e+000，Ａ４＝6.3242e-003，Ａ６＝5.0424e-004，Ａ８＝-1.0047e-004，Ａ１０＝6.9088e-005，Ａ１２＝-1.3025e-005，Ａ１４＝3.6981e-007
第１６面
Ｋ＝0.0000e+000，Ａ４＝8.2108e-004，Ａ６＝2.5420e-006，Ａ８＝-9.3843e-006，Ａ１０＝-3.4472e-006，Ａ１２＝2.8546e-006，Ａ１４＝-4.5345e-007
Ｖａｒｉａｂｌｅ  Ｄｉｓｔａｎｃｅ
広角端      中間点      望遠端
第４面と第５面間          0.600        1.386      0.600
第７面と第８面間          5.503        2.461      0.500
第１４面と第１５面間      3.258        3.421      4.693
第１６面と第１７面間      0.902        2.994      4.470
各種データ
ズームデータ
ズーム比ｆｔ／ｆｗ  2.75    
広角      中間      望遠
焦点距離         3.805      6.317      10.460
Ｆナンバ         2.875      3.872       5.013
画角            38.254    25.404      16.003
像高             3.000      3.000       3.000
レンズ全長      26.630    26.630      26.630
ＢＦ             1.732      3.824       5.299
ズームレンズ群データ
群      始面      終面      焦点距離
１      １        ４        -11.314
２      ５        ７        -14.871
３      ８      １４          5.351
４    １５      １６         -7.821
上記の面データにおいて、面番号は、図５に示した各レンズ面に付した符号ｒｉ（ｉ＝１，２，３，…）の番号ｉが対応する。番号ｉに＊が付された面は、非球面（非球面形状の屈折光学面または非球面と等価な屈折作用を有する面）であることを示す。
【０１２３】
また、“ｒ”は、各面の曲率半径（単位はｍｍ）、“ｄ”は、無限遠合焦状態での光軸上の各レンズ面の間隔（軸上面間隔）、“ｎｄ”は、各レンズのｄ線（波長５８７．５６ｎｍ）に対する屈折率、“νｄ”は、アッベ数をそれぞれ示している。なお、プリズムの両面、光学絞りＳＴ、平行平面板ＦＴの両面、撮像素子ＳＲの受光面の各面は、平面であるために、それらの曲率半径は、∞（無限大）である。
【０１２４】
上記の非球面データは、非球面とされている面（面データにおいて番号ｉに＊が付された面）の２次曲面パラメータ（円錐係数Ｋ）と非球面係数Ａｉ（ｉ＝４，６，８，１０，１２，１４）の値とを示すものである。なお、光学面の非球面形状は、面頂点を原点、物体から撮像素子に向かう向きをｚ軸の正の方向とするローカルな直交座標系（ｘ，ｙ，ｚ）を用い、次式により定義している。
ｚ（ｈ）＝ｃｈ２／［１＋√｛１−(1＋Ｋ)ｃ２ｈ２}]＋ΣＡｉ・ｈｉ
ただし、ｚ（ｈ）：高さｈの位置でのｚ軸方向の変位量（面頂点基準）
ｈ：ｚ軸に対して垂直な方向の高さ（ｈ２＝ｘ２＋ｙ２）
ｃ：近軸曲率（＝１／曲率半径）
Ａｉ：ｉ次の非球面係数
Ｋ：２次曲面パラメータ（円錐係数）
そして、上記非球面データにおいて、「en」は、「１０のｎ乗」を意味する。例えば、「e+001」は、「１０の＋１乗」を意味し、「e-003」は、「１０の−３乗」を意味する。
【０１２５】
以上のようなレンズ配置、構成のもとでの、実施例１の撮像レンズ１Ａにおける各収差を図２４に示す。図２４（Ａ）、（Ｂ）および（Ｃ）において左から順に、球面収差（正弦条件）（LONGITUDINAL SPHERICAL ABERRATION）、非点収差（ASTIGMATISM FIELD CURVER）および歪曲収差（DISTORTION）をそれぞれ示す。球面収差の横軸は、焦点位置のずれをｍｍ単位で表しており、その縦軸は、最大入射高で規格化した値で表している。非点収差の横軸は、焦点位置のずれをｍｍ単位で表しており、その縦軸は、像高をｍｍ単位で表している。歪曲収差の横軸は、実際の像高を理想像高に対する割合（％）で表しており、縦軸は、その像高をｍｍ単位で表している。また、非点収差の図中、破線は、タンジェンシャル（メリディオナル）面、実線は、サジタル（ラディアル）面における結果をそれぞれ表している。
【０１２６】
球面収差の図には、実線でｄ線（波長５８７．５６ｎｍ）、破線（−  −  −）でｇ線（波長４３５．８４ｎｍ）、一点鎖線（−・−・−）でＣ線（波長６５６．２８ｎｍ）の３つの光の収差をそれぞれ示してある。非点収差および歪曲収差の図は、上記ｄ線（波長５８７．５６ｎｍ）を用いた場合の結果である。
【０１２７】
以上のような扱いは、以下に示す実施例２〜１４にかかるコンストラクションデータ、各収差を示す図２５ないし図３７においても同様である。
【実施例２】
【０１２８】
図７は、実施例２における変倍光学系におけるレンズ群の配列を示す断面図である。図２５は、実施例２における変倍光学系の収差図である。
【０１２９】
実施例２の変倍光学系１Ｂは、図７に示すように、各レンズ群（Ｇｒ１、Ｇｒ２、Ｇｒ３、Ｇｒ４）が物体側から像側へ順に、全体として負の光学的パワーを有する第１レンズ群（Ｇｒ１）と、全体として負の光学的パワーを有する第２レンズ群（Ｇｒ２）と、光学絞りＳＴを含む全体として正の光学的パワーを有する第３レンズ群（Ｇｒ３）と、全体として負の光学的パワーを有する第４レンズ群（Ｇｒ４）とからなる負・負・正・負の４成分ズーム構成であり、ズーミングの際（変倍時）には、図６に示すように、第１レンズ群（Ｇｒ１）は、固定され、第２レンズ群（Ｇｒ２）は、移動し、第３レンズ群（Ｇｒ３）と第４レンズ群（Ｇｒ４）とは、それらの間隔が増加するように移動し、光学絞りＳＴは、第３レンズ群（Ｇｒ３）と共に移動する。
【０１３０】
より詳しくは、実施例２の変倍光学系１Ｂは、各レンズ群（Ｇｒ１、Ｇｒ２、Ｇｒ３、Ｇｒ４）が物体側から像側へ順に、次のように構成されている。
【０１３１】
第１レンズ群（Ｇｒ１）は、物体側に凸の負メニスカスレンズ（第１レンズＬ１）と、プリズム（Ｌ２）とから構成されて成る。
【０１３２】
第２レンズ群（Ｇｒ２）は、両凹の負レンズ（第３レンズＬ３）と、物体側に凸の正メニスカスレンズ（第４レンズＬ４）とから構成されて成る。第３レンズＬ３と第４レンズＬ４とは、接合レンズである。
【０１３３】
第３レンズ群（Ｇｒ３）は、光学絞りＳＴと、両凸の正レンズ（第５レンズＬ５）と、両凸の正レンズ（第６レンズＬ６）と、両凹の負レンズ（第７レンズＬ７）と、両凸の正レンズ（第８レンズＬ８）と、両凸の正レンズ（第９レンズＬ９）とから構成されて成る。光学絞りＳＴは、第５レンズＬ５の物体側に配置され、第３レンズ群（Ｇｒ３）と共に移動する。光学絞りＳＴは、メカニカルシャッタであってもよい。第５レンズＬ５は、両面が非球面である。第６ないし第８レンズＬ６、Ｌ７、Ｌ８は、接合レンズである。第９レンズＬ９は、両面が非球面であり、樹脂材料製のレンズである。
【０１３４】
第４レンズ群（Ｇｒ４）は、像側に凸の負メニスカスレンズ（第１０レンズＬ１０）から構成されて成る。第１０レンズＬ１０は、両面が非球面であり、樹脂材料製のレンズである。
【０１３５】
そして、第４レンズ群（Ｇｒ４）の像側には、フィルタとしての平行平板ＦＴを介して撮像素子ＳＲの受光面が配置されている。平行平板ＦＴは、各種光学フィルタや撮像素子のカバーガラス等である。
【０１３６】
この実施例２の変倍光学系１Ｂでは、広角端（ＷＩＤＥ）から中間点（ＭＩＤＤＬＥ）を経て望遠端（ＴＥＬＥ）への変倍時に、図６に示すように、第１レンズ群（Ｇｒ１）は、固定され、第２レンズ群（Ｇｒ２）は、略中間点で像側に凸となる曲線を描くように移動され、第３レンズ群（Ｇｒ３）は、物体に近づく方向に略直線的に移動され、第４レンズ群（Ｇｒ４）は、物体に近づく方向に第３レンズ群（Ｇｒ３）の移動量に較べて緩やかに略直線的に移動され、そして、光学絞りＳＴは、第３レンズ群（Ｇｒ３）と共に移動する。このように広角端（ＷＩＤＥ）から望遠端（ＴＥＬＥ）への変倍において、第２ないし第４レンズ群（Ｇｒ２、Ｇｒ３、Ｇｒ４）は、移動し、第１レンズ群（Ｇｒ１）と第３レンズ群（Ｇｒ３）および第４レンズ群（Ｇｒ４）のぞれぞれとは、互いの間隔が狭くなるように移動する。
【０１３７】
実施例２の変倍光学系１Ｂにおける、各レンズのコンストラクションデータを以下に示す。
【０１３８】
数値実施例２
単位  ｍｍ
面データ
面番号            ｒ        ｄ        ｎｄ        νｄ
物面              ∞        ∞
１              7.304      0.670      1.98959      21.17
２              4.082      1.340
３                ∞       5.367      1.84666      23.78
４                ∞      可変
５            -14.849      0.600      1.75450      51.57
６              5.114      0.872      1.93187      21.15
７             19.758      可変
８（絞り）        ∞       0.000
９＊            4.258      1.529      1.58311      59.46
１０＊        -14.877      0.100
１１            6.652      1.498      1.49700      81.61
１２           -6.991      0.600      1.83797      36.26
１３            3.354      1.751      1.49928      79.11
１４          -20.555      0.100
１５＊         14.299      0.860      1.53048      55.72
１６＊        -10.295      可変
１７＊         -3.069      0.600      1.53048      55.72
１８＊        -10.575      可変
１９              ∞      0.500      1.51680      64.20
２０              ∞      0.500
像面              ∞
非球面データ
第９面
Ｋ＝0.0000e+000，Ａ４＝-2.6253e-004，Ａ６＝-1.0823e-003，Ａ８＝9.2455e-004，Ａ１０＝-3.9021e-004，Ａ１２＝8.0870e-005，Ａ１４＝-6.5788e-006
第１０面
Ｋ＝0.0000e+000，Ａ４＝1.7692e-003，Ａ６＝-1.1201e-003，Ａ８＝9.6580e-004，Ａ１０＝-4.0981e-004，Ａ１２＝8.5162e-005，Ａ１４＝-6.9291e-006
第１５面
Ｋ＝0.0000e+000，Ａ４＝-2.4645e-004，Ａ６＝-5.7983e-004，Ａ８＝-3.7534e-005，Ａ１０＝-1.2560e-005
第１６面
Ｋ＝0.0000e+000，Ａ４＝5.1213e-004，Ａ６＝-4.3529e-004，Ａ８＝-7.3927e-005，Ａ１０＝-6.2700e-007
第１７面
Ｋ＝0.0000e+000，Ａ４＝4.9310e-003，Ａ６＝-2.0820e-004，Ａ８＝-1.7118e-004，Ａ１０＝1.0396e-004，Ａ１２＝-1.3025e-005，Ａ１４＝3.6981e-007
第１８面
Ｋ＝0.0000e+000，Ａ４＝1.0164e-003，Ａ６＝-4.0033e-004，Ａ８＝-5.2341e-006，Ａ１０＝9.2486e-006，Ａ１２＝2.8546e-006，Ａ１４＝-4.5345e-007
Ｖａｒｉａｂｌｅ  Ｄｉｓｔａｎｃｅ
広角端      中間点      望遠端
第４面と第５面間          0.600        1.431      0.600
第７面と第８面間          5.578        2.453      0.500
第１６面と第１７面間      2.813        3.107      4.734
第１８面と第１９面間      0.921        2.921      4.078
各種データ
ズームデータ
ズーム比ｆｔ／ｆｗ    2.75
広角      中間      望遠
焦点距離        3.804      6.316      10.459
Ｆナンバ        2.876      3.867       4.988
画角           37.791    25.037      15.751
像高            2.950      2.950       2.950
レンズ全長     26.630    26.630      26.630
ＢＦ            1.750      3.751       4.907
ズームレンズ群データ
群      始面      終面      焦点距離
１      １        ４        -10.428
２      ５        ７        -15.664
３      ８      １６          5.405
４    １７      １８         -8.382
以上のようなレンズ配置、構成のもとでの、実施例２の撮像レンズ１Ｂにおける球面収差（正弦条件）、非点収差および歪曲収差を図２５に示す。
【実施例３】
【０１３９】
図８は、実施例３における変倍光学系におけるレンズ群の配列を示す断面図である。図９は、実施例３の変倍光学系の変倍における各レンズ群の移動の様子を示す図である。なお、図９は、後述の実施例４、実施例７、実施例８、実施例１１および実施例１２の変倍光学系１Ｄ、１Ｇ、１Ｈ、１Ｋ、１Ｌの変倍における各レンズ群の移動の様子を示す図でもある。図２６は、実施例３における変倍光学系の収差図である。
【０１４０】
実施例３の変倍光学系１Ｃは、図８に示すように、各レンズ群（Ｇｒ１、Ｇｒ２、Ｇｒ３、Ｇｒ４）が物体側から像側へ順に、全体として負の光学的パワーを有する第１レンズ群（Ｇｒ１）と、全体として負の光学的パワーを有する第２レンズ群（Ｇｒ２）と、光学絞りＳＴを含む全体として正の光学的パワーを有する第３レンズ群（Ｇｒ３）と、全体として負の光学的パワーを有する第４レンズ群（Ｇｒ４）とからなる負・負・正・負の４成分ズーム構成であり、ズーミングの際（変倍時）には、図９に示すように、第１レンズ群（Ｇｒ１）は、固定され、第２レンズ群（Ｇｒ２）は、移動し、第３レンズ群（Ｇｒ３）と第４レンズ群（Ｇｒ４）とは、それらの間隔が略同一もしくは増加するように移動し、光学絞りＳＴは、第３レンズ群（Ｇｒ３）と共に移動する。
【０１４１】
より詳しくは、実施例３の変倍光学系１Ｃは、各レンズ群（Ｇｒ１、Ｇｒ２、Ｇｒ３、Ｇｒ４）が物体側から像側へ順に、次のように構成されている。
【０１４２】
第１レンズ群（Ｇｒ１）は、物体側に凸の負メニスカスレンズ（第１レンズＬ１）と、プリズム（Ｌ２）とから構成されて成る。
【０１４３】
第２レンズ群（Ｇｒ２）は、両凹の負レンズ（第３レンズＬ３）と、物体側に凸の正メニスカスレンズ（第４レンズＬ４）とから構成されて成る。第３レンズＬ３と第４レンズＬ４とは、接合レンズである。
【０１４４】
第３レンズ群（Ｇｒ３）は、光学絞りＳＴと、両凸の正レンズ（第５レンズＬ５）と、物体側に凸の正メニスカスレンズ（第６レンズＬ６）と、両凹の負レンズ（第７レンズＬ７）とから構成されて成る。光学絞りＳＴは、第５レンズＬ５の物体側に配置され、第３レンズ群（Ｇｒ３）と共に移動する。光学絞りＳＴは、メカニカルシャッタであってもよい。第５レンズＬ５は、両面が非球面である。第６および第７レンズＬ６、Ｌ７は、接合レンズである。第７レンズＬ７は、像側の面が非球面である。
【０１４５】
第４レンズ群（Ｇｒ４）は、像側に凸の負メニスカスレンズ（第８レンズＬ８）から構成されて成る。第８レンズＬ８は、両面が非球面であり、樹脂材料製のレンズである。
【０１４６】
そして、第４レンズ群（Ｇｒ４）の像側には、フィルタとしての平行平板ＦＴを介して撮像素子ＳＲの受光面が配置されている。平行平板ＦＴは、各種光学フィルタや撮像素子のカバーガラス等である。
【０１４７】
この実施例３の変倍光学系１Ｃでは、広角端（ＷＩＤＥ）から中間点（ＭＩＤＤＬＥ）を経て望遠端（ＴＥＬＥ）への変倍時に、図９に示すように、第１レンズ群（Ｇｒ１）は、固定され、第２レンズ群（Ｇｒ２）は、略中間点で像側に凸となる曲線を描くように移動され、第３レンズ群（Ｇｒ３）は、物体に近づく方向に略直線的に移動され、第４レンズ群（Ｇｒ４）は、物体に近づく方向に、略中間点まで略直線的に移動されその後望遠端まで第３レンズ群（Ｇｒ３）の移動量に較べて著しく緩やかに移動され、そして、光学絞りＳＴは、第３レンズ群（Ｇｒ３）と共に移動する。このように広角端（ＷＩＤＥ）から望遠端（ＴＥＬＥ）への変倍において、第２ないし第４レンズ群（Ｇｒ２、Ｇｒ３、Ｇｒ４）は、移動し、第１レンズ群（Ｇｒ１）と第３レンズ群（Ｇｒ３）とは、互いの間隔が狭くなるように移動し、第１レンズ群（Ｇｒ１）と第４レンズ群（Ｇｒ４）とは、略中間点まで互いの間隔が狭くなるように移動し、その後望遠端まで互いの間隔が略一定もしくは若干拡がるように移動する。
【０１４８】
実施例３の変倍光学系１Ｃにおける、各レンズのコンストラクションデータを以下に示す。
【０１４９】
数値実施例３
単位  ｍｍ
面データ
面番号            ｒ        ｄ        ｎｄ        νｄ
物面              ∞        ∞
１              9.395      0.600      1.93755      23.80
２              4.142      1.310
３                ∞       5.153      1.84666      23.78
４                ∞      可変
５            -18.943      0.600      1.72364      47.58
６              5.683      0.857      2.00170      20.60
７             21.138      可変
８（絞り）        ∞      0.000
９＊            3.772      1.685      1.58311      59.46
１０＊        -10.142      0.498
１１          106.601      1.067      1.87254      28.95
１２            3.000      2.193      1.58311      59.46
１３＊         -8.420      可変
１４＊         -3.684      0.600      1.53048      55.72
１５＊        -10.407      可変
１６              ∞      0.500      1.51680      64.20
１７              ∞      0.500
像面              ∞
非球面データ
第９面
Ｋ＝0.0000e+000、Ａ４＝-7.0686e-004，Ａ６＝-1.4195e-003，Ａ８＝1.0492e-003，Ａ１０＝-3.9987e-004，Ａ１２＝7.5284e-005，Ａ１４＝-5.5970e-006
第１０面
Ｋ＝0.0000e+000，Ａ４＝3.2708e-003，Ａ６＝-1.3975e-003，Ａ８＝1.0920e-003，Ａ１０＝-4.3907e-004，Ａ１２＝8.6928e-005，Ａ１４＝-6.7744e-006
第１３面
Ｋ＝0.0000e+000，Ａ４＝3.0074e-004，Ａ６＝1.7234e-004，Ａ８＝6.1177e-006，Ａ１０＝4.0308e-006
第１４面
Ｋ＝0.0000e+000，Ａ４＝1.1139e-003，Ａ６＝-1.2713e-004，Ａ８＝2.5909e-004，Ａ１０＝3.9583e-006，Ａ１２＝-1.3025e-005，Ａ１４＝3.6982e-007
第１５面
Ｋ＝0.0000e+000，Ａ４＝-6.0157e-004，Ａ６＝-2.0635e-004，Ａ８＝2.0617e-004，Ａ１０＝-3.4752e-005，Ａ１２＝2.8546e-006，Ａ１４＝-4.5344e-007
Ｖａｒｉａｂｌｅ  Ｄｉｓｔａｎｃｅ
広角端      中間点      望遠端
第４面と第５面間          0.600        1.635      0.600
第７面と第８面間          5.915        2.402      0.500
第１３面と第１４面間      3.605        3.473      5.087
第１５面と第１６面間      1.027        3.638      4.961
各種データ
ズームデータ
ズーム比ｆｔ／ｆｗ    2.75
広角      中間      望遠
焦点距離          3.804      6.316     10.458
Ｆナンバ          2.876      3.920      5.109
画角             37.791    25.036     15.752
像高              2.950      2.950      2.950
レンズ全長       26.539    26.540     26.540
ＢＦ              1.857      4.468      5.791
ズームレンズ群データ
群      始面      終面      焦点距離
１      １        ４        -8.365
２      ５        ７       -27.465
３      ８      １３         5.632
４    １４      １５       -11.095
以上のようなレンズ配置、構成のもとでの、実施例３の撮像レンズ１Ｃにおける球面収差（正弦条件）、非点収差および歪曲収差を図２６に示す。
【実施例４】
【０１５０】
図１０は、実施例４における変倍光学系におけるレンズ群の配列を示す断面図である。図２７は、実施例４における変倍光学系の収差図である。
【０１５１】
実施例４の変倍光学系１Ｄは、図１０に示すように、各レンズ群（Ｇｒ１、Ｇｒ２、Ｇｒ３、Ｇｒ４）が物体側から像側へ順に、全体として負の光学的パワーを有する第１レンズ群（Ｇｒ１）と、全体として負の光学的パワーを有する第２レンズ群（Ｇｒ２）と、光学絞りＳＴを含む全体として正の光学的パワーを有する第３レンズ群（Ｇｒ３）と、全体として負の光学的パワーを有する第４レンズ群（Ｇｒ４）とからなる負・負・正・負の４成分ズーム構成であり、ズーミングの際（変倍時）には、図９に示すように、第１レンズ群（Ｇｒ１）は、固定され、第２レンズ群（Ｇｒ２）は、移動し、第３レンズ群（Ｇｒ３）と第４レンズ群（Ｇｒ４）とは、それらの間隔が略同一もしくは増加するように移動し、光学絞りＳＴは、第３レンズ群（Ｇｒ３）と共に移動する。
【０１５２】
より詳しくは、実施例４の変倍光学系１Ｄは、各レンズ群（Ｇｒ１、Ｇｒ２、Ｇｒ３、Ｇｒ４）が物体側から像側へ順に、次のように構成されている。
【０１５３】
第１レンズ群（Ｇｒ１）は、物体側に凸の負メニスカスレンズ（第１レンズＬ１）と、プリズム（Ｌ２）とから構成されて成る。
【０１５４】
第２レンズ群（Ｇｒ２）は、両凹の負レンズ（第３レンズＬ３）と、物体側に凸の正メニスカスレンズ（第４レンズＬ４）とから構成されて成る。第３レンズＬ３と第４レンズＬ４とは、接合レンズである。
【０１５５】
第３レンズ群（Ｇｒ３）は、光学絞りＳＴと、両凸の正レンズ（第５レンズＬ５）と、像側に凸の負メニスカスレンズ（第６レンズＬ６）とから構成されて成る。光学絞りＳＴは、第５レンズＬ５の物体側に配置され、第３レンズ群（Ｇｒ３）と共に移動する。光学絞りＳＴは、メカニカルシャッタであってもよい。第５および第６レンズＬ５、Ｌ６は、両面が非球面である。
【０１５６】
第４レンズ群（Ｇｒ４）は、両凹の負レンズ（第７レンズＬ７）から構成されて成る。第７レンズＬ７は、両面が非球面であり、樹脂材料製のレンズである。
【０１５７】
そして、第４レンズ群（Ｇｒ４）の像側には、フィルタとしての平行平板ＦＴを介して撮像素子ＳＲの受光面が配置されている。平行平板ＦＴは、各種光学フィルタや撮像素子のカバーガラス等である。
【０１５８】
この実施例４の変倍光学系１Ｄでは、広角端（ＷＩＤＥ）から中間点（ＭＩＤＤＬＥ）を経て望遠端（ＴＥＬＥ）への変倍時に、図９に示すように、第１レンズ群（Ｇｒ１）は、固定され、第２レンズ群（Ｇｒ２）は、略中間点で像側に凸となる曲線を描くように移動され、第３レンズ群（Ｇｒ３）は、物体に近づく方向に略直線的に移動され、第４レンズ群（Ｇｒ４）は、物体に近づく方向に、略中間点まで略直線的に移動されその後望遠端まで第３レンズ群（Ｇｒ３）の移動量に較べて著しく緩やかに移動され、そして、光学絞りＳＴは、第３レンズ群（Ｇｒ３）と共に移動する。このように広角端（ＷＩＤＥ）から望遠端（ＴＥＬＥ）への変倍において、第２ないし第４レンズ群（Ｇｒ２、Ｇｒ３、Ｇｒ４）は、移動し、第１レンズ群（Ｇｒ１）と第３レンズ群（Ｇｒ３）とは、互いの間隔が狭くなるように移動し、第１レンズ群（Ｇｒ１）と第４レンズ群（Ｇｒ４）とは、略中間点まで互いの間隔が狭くなるように移動し、その後望遠端まで互いの間隔が略一定もしくは若干拡がるように移動する。
【０１５９】
実施例４の変倍光学系１Ｄにおける、各レンズのコンストラクションデータを以下に示す。
【０１６０】
数値実施例４
単位  ｍｍ
面データ
面番号            ｒ        ｄ        ｎｄ        νｄ
物面              ∞        ∞
１             12.669      0.600      1.80958      40.41
２              4.374      1.215
３                ∞       5.317      1.84666      23.78
４                ∞      可変
５            -24.560      0.600      1.70986      34.56
６              5.962      0.848      2.00170      20.60
７             19.523      可変
８（絞り）        ∞      0.000
９＊            3.084      2.075      1.58311      59.46
１０＊         -4.254      0.100
１１＊         -4.404      0.971      1.80542      26.13
１２＊        -39.174      可変
１３＊        -19.330      1.402      1.53048      55.72
１４＊         47.041      可変
１５              ∞      0.500      1.51680      64.20
１６              ∞      0.500
像面              ∞
非球面データ
第９面
Ｋ＝0.0000e+000，Ａ４＝-1.0156e-005，Ａ６＝-1.3311e-003，Ａ８＝9.3195e-004，Ａ１０＝-3.7651e-004，Ａ１２＝7.1993e-005，Ａ１４＝-5.4617e-006
第１０面
Ｋ＝0.0000e+000，Ａ４＝5.3824e-003，Ａ６＝-1.6516e-004，Ａ８＝1.0221e-003，Ａ１０＝-4.1301e-004，Ａ１２＝7.9565e-005，Ａ１４＝-6.9753e-006
第１１面
Ｋ＝0.0000e+000，Ａ４＝4.5913e-003，Ａ６＝1.4999e-003，Ａ８＝3.0809e-004，Ａ１０＝-7.8389e-005
第１２面
Ｋ＝0.0000e+000，Ａ４＝6.9369e-003，Ａ６＝1.2281e-003，Ａ８＝2.8508e-004，Ａ１０＝-7.3909e-006
第１３面
Ｋ＝0.0000e+000，Ａ４＝-9.4339e-003，Ａ６＝-1.7534e-004，Ａ８＝1.8831e-004，Ａ１０＝7.7955e-006，Ａ１２＝-1.2145e-005，Ａ１４＝4.0258e-007
第１４面
Ｋ＝0.0000e+000，Ａ４＝-8.5347e-003，Ａ６＝7.2150e-005，Ａ８＝1.8312e-004，Ａ１０＝-4.5277e-005，Ａ１２＝5.2398e-006，Ａ１４＝-4.4296e-007
Ｖａｒｉａｂｌｅ  Ｄｉｓｔａｎｃｅ
広角端      中間点      望遠端
第４面と第５面間          0.600        2.553      0.600
第７面と第８面間          6.362        1.765      0.500
第１２面と第１３面間      4.199        3.976      5.730
第１４面と第１５面間      1.327        4.194      5.658
各種データ
ズームデータ
ズーム比ｆｔ／ｆｗ    2.75
広角      中間      望遠
焦点距離        3.802      6.315      10.454
Ｆナンバ        2.877      3.856       5.049
画角           37.805    25.039      15.758
像高            2.950      2.950       2.950
レンズ全長     26.444    26.444      26.444
ＢＦ            2.156      5.024       6.487
ズームレンズ群データ
群      始面      終面      焦点距離
１      １        ４        -8.528
２      ５        ７       -32.422
３      ８      １２         5.778
４    １３      １４       -25.639
以上のようなレンズ配置、構成のもとでの、実施例４の撮像レンズ１Ｄにおける球面収差（正弦条件）、非点収差および歪曲収差を図２７に示す。
【実施例５】
【０１６１】
図１１は、実施例５における変倍光学系におけるレンズ群の配列を示す断面図である。図２８は、実施例５における変倍光学系の収差図である。
【０１６２】
実施例５の変倍光学系１Ｅは、図１１に示すように、各レンズ群（Ｇｒ１、Ｇｒ２、Ｇｒ３、Ｇｒ４）が物体側から像側へ順に、全体として負の光学的パワーを有する第１レンズ群（Ｇｒ１）と、全体として負の光学的パワーを有する第２レンズ群（Ｇｒ２）と、光学絞りＳＴを含む全体として正の光学的パワーを有する第３レンズ群（Ｇｒ３）と、全体として負の光学的パワーを有する第４レンズ群（Ｇｒ４）とからなる負・負・正・負の４成分ズーム構成であり、ズーミングの際（変倍時）には、図６に示すように、第１レンズ群（Ｇｒ１）は、固定され、第２レンズ群（Ｇｒ２）は、移動し、第３レンズ群（Ｇｒ３）と第４レンズ群（Ｇｒ４）とは、それらの間隔が増加するように移動し、光学絞りＳＴは、第３レンズ群（Ｇｒ３）と共に移動する。
【０１６３】
より詳しくは、実施例５の変倍光学系１Ｅは、各レンズ群（Ｇｒ１、Ｇｒ２、Ｇｒ３、Ｇｒ４）が物体側から像側へ順に、次のように構成されている。
【０１６４】
第１レンズ群（Ｇｒ１）は、物体側に凸の負メニスカスレンズ（第１レンズＬ１）と、プリズム（Ｌ２）とから構成されて成る。
【０１６５】
第２レンズ群（Ｇｒ２）は、両凹の負レンズ（第３レンズＬ３）と、物体側に凸の正メニスカスレンズ（第４レンズＬ４）とから構成されて成る。第３レンズＬ３と第４レンズＬ４とは、接合レンズである。
【０１６６】
第３レンズ群（Ｇｒ３）は、光学絞りＳＴと、両凸の正レンズ（第５レンズＬ５）と、両凸の正レンズ（第６レンズＬ６）と、両凹の負レンズ（第７レンズＬ７）と、両凸の正レンズ（第８レンズＬ８）とから構成されて成る。光学絞りＳＴは、第５レンズＬ５の物体側に配置され、第３レンズ群（Ｇｒ３）と共に移動する。光学絞りＳＴは、メカニカルシャッタであってもよい。第５レンズＬ５は、両面が非球面である。第６ないし第８レンズＬ６、Ｌ７、Ｌ８は、接合レンズである。
【０１６７】
第４レンズ群（Ｇｒ４）は、像側に凸の負メニスカスレンズ（第９レンズＬ９）から構成されて成る。第９レンズＬ９は、両面が非球面であり、樹脂材料製のレンズである。
【０１６８】
そして、第４レンズ群（Ｇｒ４）の像側には、フィルタとしての平行平板ＦＴを介して撮像素子ＳＲの受光面が配置されている。平行平板ＦＴは、各種光学フィルタや撮像素子のカバーガラス等である。
【０１６９】
この実施例５の変倍光学系１Ｅでは、広角端（ＷＩＤＥ）から中間点（ＭＩＤＤＬＥ）を経て望遠端（ＴＥＬＥ）への変倍時に、図６に示すように、第１レンズ群（Ｇｒ１）は、固定され、第２レンズ群（Ｇｒ２）は、略中間点で像側に凸となる曲線を描くように移動され、第３レンズ群（Ｇｒ３）は、物体に近づく方向に略直線的に移動され、第４レンズ群（Ｇｒ４）は、物体に近づく方向に第３レンズ群（Ｇｒ３）の移動量に較べて緩やかに略直線的に移動され、そして、光学絞りＳＴは、第３レンズ群（Ｇｒ３）と共に移動する。このように広角端（ＷＩＤＥ）から望遠端（ＴＥＬＥ）への変倍において、第２ないし第４レンズ群（Ｇｒ２、Ｇｒ３、Ｇｒ４）は、移動し、第１レンズ群（Ｇｒ１）と第３レンズ群（Ｇｒ３）および第４レンズ群（Ｇｒ４）のぞれぞれとは、互いの間隔が狭くなるように移動する。
【０１７０】
実施例５の変倍光学系１Ｅにおける、各レンズのコンストラクションデータを以下に示す。
【０１７１】
数値実施例５
単位  ｍｍ
面データ
面番号            ｒ        ｄ        ｎｄ        νｄ
物面              ∞        ∞
１              6.714      0.635      1.94595      17.98
２              3.955      1.415
３                ∞       5.468      1.84666      23.78
４                ∞      可変
５            -16.384      0.600      1.77250      49.65
６              4.606      0.911      1.92286      20.88
７             17.472      可変
８（絞り）        ∞       0.000
９＊            4.620      1.600      1.58311      59.46
１０＊         -6.632      0.100
１１           14.580      1.391      1.48749      70.45
１２           -5.825      0.600      1.83400      37.35
１３            3.645      2.171      1.49700      81.61
１４           -3.987      可変
１５＊         -2.710      0.600      1.53048      55.72
１６＊         -8.172      可変
１７              ∞      0.500      1.51680      64.20
１８              ∞      0.500
像面              ∞
非球面データ
第９面
Ｋ＝0.0000e+000，Ａ４＝-1.0042e-003，Ａ６＝-1.3530e-003，Ａ８＝9.4547e-004，Ａ１０＝-3.7128e-004，Ａ１２＝7.6462e-005，Ａ１４＝-6.5788e-006
第１０面
Ｋ＝0.0000e+000，Ａ４＝3.0978e-003，Ａ６＝-1.5630e-003，Ａ８＝1.1148e-003，Ａ１０＝-4.3162e-004，Ａ１２＝8.5384e-005，Ａ１４＝-6.9291e-006
第１５面
Ｋ＝0.0000e+000，Ａ４＝6.7923e-003，Ａ６＝5.9300e-004，Ａ８＝-9.4708e-005，Ａ１０＝6.2272e-005，Ａ１２＝-1.0587e-005，Ａ１４＝3.6981e-007
第１６面
Ｋ＝0.0000e+000，Ａ４＝8.5225e-004，Ａ６＝2.3866e-005，Ａ８＝-1.2788e-005，Ａ１０＝-4.9293e-006，Ａ１２＝3.2924e-006，Ａ１４＝-4.5345e-007
Ｖａｒｉａｂｌｅ  Ｄｉｓｔａｎｃｅ
広角端      中間点      望遠端
第４面と第５面間          0.600        1.380      0.600
第７面と第８面間          5.524        2.477      0.500
第１４面と第１５面間      3.283        3.441      4.736
第１６面と第１７面間      0.902        3.010      4.473
各種データ
ズームデータ
ズーム比ｆｔ／ｆｗ    2.75
広角      中間      望遠
焦点距離        3.818      6.339      10.497
Ｆナンバ        2.875      3.868       5.001
画角           37.691    24.955      15.697
像高            2.950      2.950       2.950
レンズ全長     26.630    26.630      26.630
ＢＦ            1.732      3.840       5.303
ズームレンズ群データ
群      始面      終面      焦点距離
１      １        ４        -11.454
２      ５        ７        -14.707
３      ８      １４          5.359
４    １５      １６         -7.945
以上のようなレンズ配置、構成のもとでの、実施例５の撮像レンズ１Ｅにおける球面収差（正弦条件）、非点収差および歪曲収差を図２８に示す。
【実施例６】
【０１７２】
図１２は、実施例６における変倍光学系におけるレンズ群の配列を示す断面図である。図２９は、実施例６における変倍光学系の収差図である。
【０１７３】
実施例６の変倍光学系１Ｆは、図１２に示すように、各レンズ群（Ｇｒ１、Ｇｒ２、Ｇｒ３、Ｇｒ４）が物体側から像側へ順に、全体として負の光学的パワーを有する第１レンズ群（Ｇｒ１）と、全体として負の光学的パワーを有する第２レンズ群（Ｇｒ２）と、光学絞りＳＴを含む全体として正の光学的パワーを有する第３レンズ群（Ｇｒ３）と、全体として負の光学的パワーを有する第４レンズ群（Ｇｒ４）とからなる負・負・正・負の４成分ズーム構成であり、ズーミングの際（変倍時）には、図６に示すように、第１レンズ群（Ｇｒ１）は、固定され、第２レンズ群（Ｇｒ２）は、移動し、第３レンズ群（Ｇｒ３）と第４レンズ群（Ｇｒ４）とは、それらの間隔が増加するように移動し、光学絞りＳＴは、第３レンズ群（Ｇｒ３）と共に移動する。
【０１７４】
より詳しくは、実施例５の変倍光学系１Ｅは、各レンズ群（Ｇｒ１、Ｇｒ２、Ｇｒ３、Ｇｒ４）が物体側から像側へ順に、次のように構成されている。
【０１７５】
第１レンズ群（Ｇｒ１）は、物体側に凸の負メニスカスレンズ（第１レンズＬ１）と、プリズム（Ｌ２）とから構成されて成る。
【０１７６】
第２レンズ群（Ｇｒ２）は、両凹の負レンズ（第３レンズＬ３）と、物体側に凸の正メニスカスレンズ（第４レンズＬ４）とから構成されて成る。第３レンズＬ３と第４レンズＬ４とは、接合レンズである。
【０１７７】
第３レンズ群（Ｇｒ３）は、光学絞りＳＴと、両凸の正レンズ（第５レンズＬ５）と、両凸の正レンズ（第６レンズＬ６）と、両凹の負レンズ（第７レンズＬ７）と、両凸の正レンズ（第８レンズＬ８）とから構成されて成る。光学絞りＳＴは、第５レンズＬ５の物体側に配置され、第３レンズ群（Ｇｒ３）と共に移動する。光学絞りＳＴは、メカニカルシャッタであってもよい。第５レンズＬ５は、両面が非球面である。第６ないし第８レンズＬ６、Ｌ７、Ｌ８は、接合レンズである。
【０１７８】
第４レンズ群（Ｇｒ４）は、像側に凸の負メニスカスレンズ（第９レンズＬ９）から構成されて成る。第９レンズＬ９は、両面が非球面であり、樹脂材料製のレンズである。
【０１７９】
そして、第４レンズ群（Ｇｒ４）の像側には、フィルタとしての平行平板ＦＴを介して撮像素子ＳＲの受光面が配置されている。平行平板ＦＴは、各種光学フィルタや撮像素子のカバーガラス等である。
【０１８０】
この実施例６の変倍光学系１Ｆでは、広角端（ＷＩＤＥ）から中間点（ＭＩＤＤＬＥ）を経て望遠端（ＴＥＬＥ）への変倍時に、図６に示すように、第１レンズ群（Ｇｒ１）は、固定され、第２レンズ群（Ｇｒ２）は、略中間点で像側に凸となる曲線を描くように移動され、第３レンズ群（Ｇｒ３）は、物体に近づく方向に略直線的に移動され、第４レンズ群（Ｇｒ４）は、物体に近づく方向に第３レンズ群（Ｇｒ３）の移動量に較べて緩やかに略直線的に移動され、そして、光学絞りＳＴは、第３レンズ群（Ｇｒ３）と共に移動する。このように広角端（ＷＩＤＥ）から望遠端（ＴＥＬＥ）への変倍において、第２ないし第４レンズ群（Ｇｒ２、Ｇｒ３、Ｇｒ４）は、移動し、第１レンズ群（Ｇｒ１）と第３レンズ群（Ｇｒ３）および第４レンズ群（Ｇｒ４）のぞれぞれとは、互いの間隔が狭くなるように移動する。
【０１８１】
実施例６の変倍光学系１Ｆにおける、各レンズのコンストラクションデータを以下に示す。
【０１８２】
数値実施例６
単位  ｍｍ
面データ
面番号            ｒ        ｄ        ｎｄ        νｄ
物面              ∞        ∞
１              6.556      0.600      1.94595      17.98
２              4.105      1.412
３                ∞       5.536      1.84666      23.78
４                ∞      可変
５            -14.518      0.600      1.77250      49.65
６              5.141      0.875      1.92286      20.88
７             20.333      可変
８（絞り）        ∞       0.000
９＊            4.614      1.608      1.58311      59.46
１０＊         -6.878      0.100
１１           12.150      1.439      1.48749      70.45
１２           -5.583      0.600      1.83400      37.35
１３            3.566      2.194      1.48749      70.45
１４           -3.896      可変
１５＊         -2.569      0.600      1.53048      55.72
１６＊         -8.134      可変
１７              ∞      0.500      1.51680      64.20
１８              ∞      0.500
像面              ∞
非球面データ
第９面
Ｋ＝0.0000e+000，Ａ４＝-8.4639e-004，Ａ６＝-1.4187e-003，Ａ８＝9.8164e-004，Ａ１０＝-3.7988e-004，Ａ１２＝7.6940e-005，Ａ１４＝-6.4648e-006
第１０面
Ｋ＝0.0000e+000，Ａ４＝2.9861e-003，Ａ６＝-1.6327e-003，Ａ８＝1.1524e-003，Ａ１０＝-4.3849e-004，Ａ１２＝8.5304e-005，Ａ１４＝-6.7900e-006
第１５面
Ｋ＝0.0000e+000，Ａ４＝7.8069e-003，Ａ６＝7.8259e-004，Ａ８＝-9.5094e-005，Ａ１０＝6.0600e-005，Ａ１２＝-7.6162e-006，Ａ１４＝3.6981e-007
第１６面
Ｋ＝0.0000e+000，Ａ４＝1.0540e-003，Ａ６＝5.7727e-005，Ａ８＝-2.8773e-005，Ａ１０＝-3.6698e-006，Ａ１２＝3.7330e-006，Ａ１４＝-4.5310e-007
Ｖａｒｉａｂｌｅ  Ｄｉｓｔａｎｃｅ
広角端      中間点      望遠端
第４面と第５面間          0.600        1.347      0.600
第７面と第８面間          5.516        2.516      0.500
第１４面と第１５面間      3.208        3.355      4.532
第１６面と第１７面間      0.911        3.017      4.604
各種データ
ズームデータ
ズーム比ｆｔ／ｆｗ    2.75
広角      中間      望遠
焦点距離        4.113      6.830      11.309
Ｆナンバ        2.875      3.888       5.060
画角           36.105    23.713      14.856
像高            3.000      3.000       3.000
レンズ全長     26.630    26.630      26.630
ＢＦ            1.741      3.847       5.434
ズームレンズ群データ
群      始面      終面      焦点距離
１      １        ４        -13.175
２      ５        ７        -14.261
３      ８      １４         5.397
４    １５      １６        -7.354
以上のようなレンズ配置、構成のもとでの、実施例６の撮像レンズ１Ｆにおける球面収差（正弦条件）、非点収差および歪曲収差を図２９に示す。
【実施例７】
【０１８３】
図１３は、実施例７における変倍光学系におけるレンズ群の配列を示す断面図である。図３０は、実施例７における変倍光学系の収差図である。
【０１８４】
実施例７の変倍光学系１Ｇは、図１３に示すように、各レンズ群（Ｇｒ１、Ｇｒ２、Ｇｒ３、Ｇｒ４）が物体側から像側へ順に、全体として負の光学的パワーを有する第１レンズ群（Ｇｒ１）と、全体として負の光学的パワーを有する第２レンズ群（Ｇｒ２）と、光学絞りＳＴを含む全体として正の光学的パワーを有する第３レンズ群（Ｇｒ３）と、全体として負の光学的パワーを有する第４レンズ群（Ｇｒ４）とからなる負・負・正・負の４成分ズーム構成であり、ズーミングの際（変倍時）には、図９に示すように、第１レンズ群（Ｇｒ１）は、固定され、第２レンズ群（Ｇｒ２）は、移動し、第３レンズ群（Ｇｒ３）と第４レンズ群（Ｇｒ４）とは、それらの間隔が略同一もしくは増加するように移動し、光学絞りＳＴは、第３レンズ群（Ｇｒ３）と共に移動する。
【０１８５】
より詳しくは、実施例７の変倍光学系１Ｇは、各レンズ群（Ｇｒ１、Ｇｒ２、Ｇｒ３、Ｇｒ４）が物体側から像側へ順に、次のように構成されている。
【０１８６】
第１レンズ群（Ｇｒ１）は、物体側に凸の負メニスカスレンズ（第１レンズＬ１）と、プリズム（Ｌ２）とから構成されて成る。
【０１８７】
第２レンズ群（Ｇｒ２）は、両凹の負レンズ（第３レンズＬ３）と、両凸の正レンズ（第４レンズＬ４）とから構成されて成る。第３レンズＬ３と第４レンズＬ４とは、接合レンズである。
【０１８８】
第３レンズ群（Ｇｒ３）は、光学絞りＳＴと、両凸の正レンズ（第５レンズＬ５）と、両凸の正レンズ（第６レンズＬ６）と、両凹の負レンズ（第７レンズＬ７）と、両凸の正レンズ（第８レンズＬ８）とから構成されて成る。光学絞りＳＴは、第５レンズＬ５の物体側に配置され、第３レンズ群（Ｇｒ３）と共に移動する。光学絞りＳＴは、メカニカルシャッタであってもよい。第５レンズＬ５は、両面が非球面である。第６ないし第８レンズＬ６、Ｌ７、Ｌ８は、接合レンズである。
【０１８９】
第４レンズ群（Ｇｒ４）は、像側に凸の負メニスカスレンズ（第９レンズＬ９）から構成されて成る。第９レンズＬ９は、両面が非球面であり、樹脂材料製のレンズである。
【０１９０】
そして、第４レンズ群（Ｇｒ４）の像側には、フィルタとしての平行平板ＦＴを介して撮像素子ＳＲの受光面が配置されている。平行平板ＦＴは、各種光学フィルタや撮像素子のカバーガラス等である。
【０１９１】
この実施例７の変倍光学系１Ｇでは、広角端（ＷＩＤＥ）から中間点（ＭＩＤＤＬＥ）を経て望遠端（ＴＥＬＥ）への変倍時に、図９に示すように、第１レンズ群（Ｇｒ１）は、固定され、第２レンズ群（Ｇｒ２）は、略中間点で像側に凸となる曲線を描くように移動され、第３レンズ群（Ｇｒ３）は、物体に近づく方向に略直線的に移動され、第４レンズ群（Ｇｒ４）は、物体に近づく方向に、略中間点まで略直線的に移動されその後望遠端まで第３レンズ群（Ｇｒ３）の移動量に較べて著しく緩やかに移動され、そして、光学絞りＳＴは、第３レンズ群（Ｇｒ３）と共に移動する。このように広角端（ＷＩＤＥ）から望遠端（ＴＥＬＥ）への変倍において、第２ないし第４レンズ群（Ｇｒ２、Ｇｒ３、Ｇｒ４）は、移動し、第１レンズ群（Ｇｒ１）と第３レンズ群（Ｇｒ３）とは、互いの間隔が狭くなるように移動し、第１レンズ群（Ｇｒ１）と第４レンズ群（Ｇｒ４）とは、略中間点まで互いの間隔が狭くなるように移動し、その後望遠端まで互いの間隔が略一定もしくは若干拡がるように移動する。
【０１９２】
実施例７の変倍光学系１Ｇにおける、各レンズのコンストラクションデータを以下に示す。
【０１９３】
数値実施例７
単位  ｍｍ
面データ
面番号            ｒ        ｄ        ｎｄ        νｄ
物面              ∞        ∞
１             17.857      0.600      1.92742      25.01
２              7.085      0.961
３                ∞       5.635      1.84666      23.78
４                ∞      可変
５             -6.303      0.600      1.75450      51.57
６             15.328      0.790      1.93474      21.13
７            -20.008      可変
８（絞り）        ∞       0.000
９＊            3.944      1.504      1.58311      59.46
１０＊        -14.661      0.100
１１            9.665      1.348      1.51732      76.48
１２           -7.997      0.600      1.85067      31.39
１３            3.000      2.780      1.55428      47.60
１４           -4.608      可変
１５＊         -3.421      0.600      1.53048      55.72
１６＊        -48.746      可変
１７              ∞      0.500      1.51680      64.20
１８              ∞      0.500
像面              ∞
非球面データ
第９面
Ｋ＝0.0000e+000，Ａ４＝4.4282e-004，Ａ６＝-4.8632e-004，Ａ８＝6.8537e-004，Ａ１０＝-2.8750e-004，Ａ１２＝6.4564e-005，Ａ１４＝-5.4895e-006
第１０面
Ｋ＝0.0000e+000，Ａ４＝4.3209e-003，Ａ６＝-2.7881e-004，Ａ８＝6.9385e-004，Ａ１０＝-3.0948e-004，Ａ１２＝7.6525e-005，Ａ１４＝-6.7892e-006
第１５面
Ｋ＝0.0000e+000，Ａ４＝-6.9383e-004，Ａ６＝-9.1395e-004，Ａ８＝7.2264e-004，Ａ１０＝-4.3800e-005，Ａ１２＝-1.3025e-005，Ａ１４＝3.6982e-007
第１６面
Ｋ＝0.0000e+000，Ａ４＝-1.6588e-003，Ａ６＝-6.3951e-004，Ａ８＝4.4235e-004，Ａ１０＝-5.5174e-005，Ａ１２＝2.8545e-006，Ａ１４＝-4.5342e-007
Ｖａｒｉａｂｌｅ  Ｄｉｓｔａｎｃｅ
広角端      中間点      望遠端
第４面と第５面間          0.704        2.054      0.600
第７面と第８面間          5.567        2.004      0.500
第１４面と第１５面間      2.657        2.500      2.613
第１６面と第１７面間      0.915        3.285      6.129
各種データ
ズームデータ
ズーム比ｆｔ／ｆｗ    2.75
広角      中間      望遠
焦点距離        4.020      6.674      11.050
Ｆナンバ        2.876      3.958       5.348
画角           36.275    23.846      14.947
像高            2.950      2.950       2.950
レンズ全長     26.191    26.191      26.191
ＢＦ            1.745      4.114       6.959
ズームレンズ群データ
群      始面      終面      焦点距離
１      １        ４        -13.012
２      ５        ７        -17.611
３      ８      １４          5.499
４    １５      １６         -6.968
以上のようなレンズ配置、構成のもとでの、実施例７の撮像レンズ１Ｇにおける球面収差（正弦条件）、非点収差および歪曲収差を図３０に示す。
【実施例８】
【０１９４】
図１４は、実施例８における変倍光学系におけるレンズ群の配列を示す断面図である。図３１は、実施例８における変倍光学系の収差図である。
【０１９５】
実施例８の変倍光学系１Ｈは、図１４に示すように、各レンズ群（Ｇｒ１、Ｇｒ２、Ｇｒ３、Ｇｒ４）が物体側から像側へ順に、全体として負の光学的パワーを有する第１レンズ群（Ｇｒ１）と、全体として負の光学的パワーを有する第２レンズ群（Ｇｒ２）と、光学絞りＳＴを含む全体として正の光学的パワーを有する第３レンズ群（Ｇｒ３）と、全体として負の光学的パワーを有する第４レンズ群（Ｇｒ４）とからなる負・負・正・負の４成分ズーム構成であり、ズーミングの際（変倍時）には、図９に示すように、第１レンズ群（Ｇｒ１）は、固定され、第２レンズ群（Ｇｒ２）は、移動し、第３レンズ群（Ｇｒ３）と第４レンズ群（Ｇｒ４）とは、それらの間隔が略同一もしくは増加するように移動し、光学絞りＳＴは、第３レンズ群（Ｇｒ３）と共に移動する。
【０１９６】
より詳しくは、実施例８の変倍光学系１Ｈは、各レンズ群（Ｇｒ１、Ｇｒ２、Ｇｒ３、Ｇｒ４）が物体側から像側へ順に、次のように構成されている。
【０１９７】
第１レンズ群（Ｇｒ１）は、両凹の負レンズ（第１レンズＬ１）と、プリズム（Ｌ２）とから構成されて成る。第１レンズＬ１は、両面が非球面である。
【０１９８】
第２レンズ群（Ｇｒ２）は、両凹の負レンズ（第３レンズＬ３）と、両凸の正レンズ（第４レンズＬ４）とから構成されて成る。第３レンズＬ３と第４レンズＬ４とは、接合レンズである。
【０１９９】
第３レンズ群（Ｇｒ３）は、光学絞りＳＴと、両凸の正レンズ（第５レンズＬ５）と、両凸の正レンズ（第６レンズＬ６）と、両凹の負レンズ（第７レンズＬ７）と、両凸の正レンズ（第８レンズＬ８）とから構成されて成る。光学絞りＳＴは、第５レンズＬ５の物体側に配置され、第３レンズ群（Ｇｒ３）と共に移動する。光学絞りＳＴは、メカニカルシャッタであってもよい。第５レンズＬ５は、両面が非球面である。第６ないし第８レンズＬ６、Ｌ７、Ｌ８は、接合レンズである。第８レンズＬ８は、像側の面（片面）が非球面である。
【０２００】
第４レンズ群（Ｇｒ４）は、両凹の負レンズ（第９レンズＬ９）から構成されて成る。第９レンズＬ９は、両面が非球面である。
【０２０１】
そして、第４レンズ群（Ｇｒ４）の像側には、フィルタとしての平行平板ＦＴを介して撮像素子ＳＲの受光面が配置されている。平行平板ＦＴは、各種光学フィルタや撮像素子のカバーガラス等である。
【０２０２】
この実施例８の変倍光学系１Ｈでは、広角端（ＷＩＤＥ）から中間点（ＭＩＤＤＬＥ）を経て望遠端（ＴＥＬＥ）への変倍時に、図９に示すように、第１レンズ群（Ｇｒ１）は、固定され、第２レンズ群（Ｇｒ２）は、略中間点で像側に凸となる曲線を描くように移動され、第３レンズ群（Ｇｒ３）は、物体に近づく方向に略直線的に移動され、第４レンズ群（Ｇｒ４）は、物体に近づく方向に、略中間点まで略直線的に移動されその後望遠端まで第３レンズ群（Ｇｒ３）の移動量に較べて著しく緩やかに移動され、そして、光学絞りＳＴは、第３レンズ群（Ｇｒ３）と共に移動する。このように広角端（ＷＩＤＥ）から望遠端（ＴＥＬＥ）への変倍において、第２ないし第４レンズ群（Ｇｒ２、Ｇｒ３、Ｇｒ４）は、移動し、第１レンズ群（Ｇｒ１）と第３レンズ群（Ｇｒ３）とは、互いの間隔が狭くなるように移動し、第１レンズ群（Ｇｒ１）と第４レンズ群（Ｇｒ４）とは、略中間点まで互いの間隔が狭くなるように移動し、その後望遠端まで互いの間隔が略一定もしくは若干拡がるように移動する。
【０２０３】
実施例８の変倍光学系１Ｈにおける、各レンズのコンストラクションデータを以下に示す。
【０２０４】
数値実施例８
単位  ｍｍ
面データ
面番号            ｒ        ｄ        ｎｄ        νｄ
物面              ∞        ∞
１＊          -49.349      0.600      2.00170      20.60
２＊            7.047      0.623
３                ∞       4.577      1.90366      31.31
４                ∞      可変
５            -10.199      0.600      1.75108      51.74
６              7.571      0.946      1.93116      21.25
７            -25.026      可変
８（絞り）        ∞       0.000
９＊            4.353      2.964      1.52328      75.17
１０＊         -5.632      0.100
１１           28.150      1.279      1.53243      73.28
１２           -9.757      0.600      1.85634      32.97
１３            3.022      2.293      1.54776      51.69
１４＊         -5.619      可変
１５＊         -5.949      0.600      1.83300      37.30
１６＊        168.560      可変
１７              ∞      0.500      1.51680      64.20
１８              ∞      0.500
像面              ∞
非球面データ
第１面
Ｋ＝0.0000e+000，Ａ４＝3.8795e-003，Ａ６＝-4.4174e-004，Ａ８＝4.2557e-005，Ａ１０＝-1.3452e-006
第２面
Ｋ＝0.0000e+000，Ａ４＝4.6087e-003，Ａ６＝-3.1818e-004，Ａ８＝2.0676e-005，Ａ１０＝3.3597e-006
第９面
Ｋ＝0.0000e+000，Ａ４＝-1.7079e-003，Ａ６＝-7.9026e-004，Ａ８＝5.4668e-004，Ａ１０＝-2.0447e-004，Ａ１２＝3.7139e-005，Ａ１４＝-2.6386e-006
第１０面
Ｋ＝0.0000e+000，Ａ４＝3.4784e-003，Ａ６＝-7.9376e-004，Ａ８＝4.5710e-004，Ａ１０＝-1.5745e-004，Ａ１２＝2.6853e-005，Ａ１４＝-1.7985e-006
第１４面
Ｋ＝0.0000e+000，Ａ４＝-1.5118e-003，Ａ６＝9.4054e-005，Ａ８＝-4.1334e-006，Ａ１０＝-4.1633e-006
第１５面
Ｋ＝0.0000e+000，Ａ４＝2.7199e-004，Ａ６＝2.3089e-004，Ａ８＝-2.2298e-004，Ａ１０＝1.1298e-004，Ａ１２＝-2.3869e-005，Ａ１４＝3.0251e-007
第１６面
Ｋ＝0.0000e+000，Ａ４＝2.3722e-004，Ａ６＝1.0177e-004，Ａ８＝-1.4866e-004，Ａ１０＝6.7275e-005，Ａ１２＝-1.3722e-005，Ａ１４＝7.0138e-007
Ｖａｒｉａｂｌｅ  Ｄｉｓｔａｎｃｅ
広角端      中間点      望遠端
第４面と第５面間          0.600        1.461      0.600
第７面と第８面間          5.834        2.566      0.500
第１４面と第１５面間      3.412        2.938      4.074
第１６面と第１７面間      0.912        3.792      5.584
各種データ
ズームデータ
ズーム比ｆｔ／ｆｗ    2.75
広角      中間      望遠
焦点距離        3.805      6.314      10.456
Ｆナンバ        2.875      4.084       5.356
画角           39.168    26.150      16.514
像高            3.100      3.100      3.100
レンズ全長     26.770    26.770      26.770
ＢＦ            1.742      4.622      6.413
ズームレンズ群データ
群      始面      終面      焦点距離
１      １        ４        -6.123
２      ５        ７       -97.952
３      ８      １４         6.072
４    １５      １６        -6.888
以上のようなレンズ配置、構成のもとでの、実施例８の撮像レンズ１Ｈにおける球面収差（正弦条件）、非点収差および歪曲収差を図３１に示す。
【実施例９】
【０２０５】
図１５は、実施例９における変倍光学系におけるレンズ群の配列を示す断面図である。図３２は、実施例９における変倍光学系の収差図である。
【０２０６】
実施例９の変倍光学系１Ｉは、図１５に示すように、各レンズ群（Ｇｒ１、Ｇｒ２、Ｇｒ３、Ｇｒ４）が物体側から像側へ順に、全体として負の光学的パワーを有する第１レンズ群（Ｇｒ１）と、全体として負の光学的パワーを有する第２レンズ群（Ｇｒ２）と、光学絞りＳＴを含む全体として正の光学的パワーを有する第３レンズ群（Ｇｒ３）と、全体として負の光学的パワーを有する第４レンズ群（Ｇｒ４）とからなる負・負・正・負の４成分ズーム構成であり、ズーミングの際（変倍時）には、図６に示すように、第１レンズ群（Ｇｒ１）は、固定され、第２レンズ群（Ｇｒ２）は、移動し、第３レンズ群（Ｇｒ３）と第４レンズ群（Ｇｒ４）とは、それらの間隔が増加するように移動し、光学絞りＳＴは、第３レンズ群（Ｇｒ３）と共に移動する。
【０２０７】
より詳しくは、実施例９の変倍光学系１Ｉは、各レンズ群（Ｇｒ１、Ｇｒ２、Ｇｒ３、Ｇｒ４）が物体側から像側へ順に、次のように構成されている。
【０２０８】
第１レンズ群（Ｇｒ１）は、物体側に凸の負メニスカスレンズ（第１レンズＬ１）と、プリズム（Ｌ２）とから構成されて成る。
【０２０９】
第２レンズ群（Ｇｒ２）は、両凹の負レンズ（第３レンズＬ３）と、物体側に凸の正メニスカスレンズ（第４レンズＬ４）とから構成されて成る。第３レンズＬ３と第４レンズＬ４とは、接合レンズである。
【０２１０】
第３レンズ群（Ｇｒ３）は、光学絞りＳＴ（不図示）と、両凸の正レンズ（第５レンズＬ５）と、両凸の正レンズ（第６レンズＬ６）と、両凹の負レンズ（第７レンズＬ７）と、両凸の正レンズ（第８レンズＬ８）とから構成されて成る。光学絞りＳＴは、第５レンズＬ５の物体側のレンズ面に配置され、第３レンズ群（Ｇｒ３）と共に移動する。第５レンズＬ５は、両面が非球面である。第６ないし第８レンズＬ６、Ｌ７、Ｌ８は、接合レンズである。
【０２１１】
第４レンズ群（Ｇｒ４）は、像側に凸の負メニスカスレンズ（第９レンズＬ９）から構成されて成る。第９レンズＬ９は、両面が非球面であり、樹脂材料製のレンズである。
【０２１２】
そして、第４レンズ群（Ｇｒ４）の像側には、フィルタとしての平行平板ＦＴを介して撮像素子ＳＲの受光面が配置されている。平行平板ＦＴは、各種光学フィルタや撮像素子のカバーガラス等である。
【０２１３】
この実施例９の変倍光学系１Ｉでは、広角端（ＷＩＤＥ）から中間点（ＭＩＤＤＬＥ）を経て望遠端（ＴＥＬＥ）への変倍時に、図６に示すように、第１レンズ群（Ｇｒ１）は、固定され、第２レンズ群（Ｇｒ２）は、略中間点で像側に凸となる曲線を描くように移動され、第３レンズ群（Ｇｒ３）は、物体に近づく方向に略直線的に移動され、第４レンズ群（Ｇｒ４）は、物体に近づく方向に第３レンズ群（Ｇｒ３）の移動量に較べて緩やかに略直線的に移動され、そして、光学絞りＳＴは、第３レンズ群（Ｇｒ３）と共に移動する。このように広角端（ＷＩＤＥ）から望遠端（ＴＥＬＥ）への変倍において、第２ないし第４レンズ群（Ｇｒ２、Ｇｒ３、Ｇｒ４）は、移動し、第１レンズ群（Ｇｒ１）と第３レンズ群（Ｇｒ３）および第４レンズ群（Ｇｒ４）のぞれぞれとは、互いの間隔が狭くなるように移動する。
【０２１４】
実施例９の変倍光学系１Ｉにおける、各レンズのコンストラクションデータを以下に示す。
【０２１５】
数値実施例９
単位  ｍｍ
面データ
面番号            ｒ        ｄ        ｎｄ        νｄ
物面              ∞        ∞
１              7.395      0.600      1.94595      17.98
２              3.902      1.467
３                ∞       5.256      1.84666      23.78
４                ∞      可変
５            -23.542      0.600      1.77250      49.65
６              4.404      0.954      1.92286      20.88
７             16.808      可変
８＊（絞り）    4.542      2.019      1.58311      59.46
９＊           -6.814      0.100
１０           13.804      1.379      1.48749      70.45
１１           -4.533      0.600      1.83400      37.35
１２            3.841      1.886      1.49700      81.61
１３           -3.648      可変
１４＊         -2.866      0.663      1.53048      55.72
１５＊        -16.761      可変
１６              ∞      0.500      1.51680      64.20
１７              ∞      0.500
像面              ∞
非球面データ
第８面
Ｋ＝0.0000e+000，Ａ４＝-7.3532e-004，Ａ６＝-9.2831e-004，Ａ８＝6.6891e-004，Ａ１０＝-2.3898e-004，Ａ１２＝4.3303e-005，Ａ１４＝-3.1119e-006
第９面
Ｋ＝0.0000e+000，Ａ４＝3.3520e-003，Ａ６＝-9.9724e-004，Ａ８＝8.2758e-004，Ａ１０＝-3.3539e-004，Ａ１２＝6.8770e-005，Ａ１４＝-5.5550e-006
第１４面
Ｋ＝0.0000e+000，Ａ４＝5.7776e-003，Ａ６＝4.6291e-004，Ａ８＝3.4948e-005，Ａ１０＝-3.6599e-005，Ａ１２＝9.5771e-006，Ａ１４＝3.6981e-007
第１５面
Ｋ＝0.0000e+000，Ａ４＝8.7199e-004，Ａ６＝7.9339e-005，Ａ８＝-3.1943e-005，Ａ１０＝3.9834e-006，Ａ１２＝-1.7621e-006，Ａ１４＝5.1061e-007
Ｖａｒｉａｂｌｅ  Ｄｉｓｔａｎｃｅ
広角端      中間点      望遠端
第４面と第５面間          0.600        1.417      0.600
第７面と第８面間          5.471        2.405      0.500
第１３面と第１４面間      3.186        3.342      4.435
第１５面と第１６面間      1.019        3.113      4.741
各種データ
ズームデータ
ズーム比ｆｔ／ｆｗ    2.75
広角      中間      望遠
焦点距離        3.805      6.317      10.460
Ｆナンバ        2.874      3.931       5.163
画角           39.171    26.140      16.508
像高            3.100      3.100       3.100
レンズ全長     26.630    26.630      26.630
ＢＦ            1.849      3.942       5.571
ズームレンズ群データ
群      始面      終面      焦点距離
１      １        ４        -9.528
２      ５        ７       -18.601
３      ８      １３         5.381
４    １４      １５        -6.626
以上のようなレンズ配置、構成のもとでの、実施例９の撮像レンズ１Ｉにおける球面収差（正弦条件）、非点収差および歪曲収差を図３２に示す。
【実施例１０】
【０２１６】
図１６は、実施例１０における変倍光学系におけるレンズ群の配列を示す断面図である。図１７は、実施例１０の変倍光学系の変倍における各レンズ群の移動の様子を示す図である。図３３は、実施例１０における変倍光学系の収差図である。
【０２１７】
実施例１０の変倍光学系１Ｊは、図１６に示すように、各レンズ群（Ｇｒ１、Ｇｒ２、Ｇｒ３、Ｇｒ４）が物体側から像側へ順に、全体として負の光学的パワーを有する第１レンズ群（Ｇｒ１）と、全体として負の光学的パワーを有する第２レンズ群（Ｇｒ２）と、光学絞りＳＴを含む全体として正の光学的パワーを有する第３レンズ群（Ｇｒ３）と、全体として負の光学的パワーを有する第４レンズ群（Ｇｒ４）とからなる負・負・正・負の４成分ズーム構成であり、ズーミングの際（変倍時）には、図１７に示すように、第１レンズ群（Ｇｒ１）は、固定され、第２レンズ群（Ｇｒ２）は、移動し、光学絞りＳＴは、移動し、第３レンズ群（Ｇｒ３）と第４レンズ群（Ｇｒ４）とは、それらの間隔が増加するように移動する。
【０２１８】
より詳しくは、実施例１０の変倍光学系１Ｊは、各レンズ群（Ｇｒ１、Ｇｒ２、Ｇｒ３、Ｇｒ４）が物体側から像側へ順に、次のように構成されている。
【０２１９】
第１レンズ群（Ｇｒ１）は、物体側に凸の負メニスカスレンズ（第１レンズＬ１）と、プリズム（Ｌ２）とから構成されて成る。
【０２２０】
第２レンズ群（Ｇｒ２）は、両凹の負レンズ（第４レンズＬ３）と、物体側に凸の正メニスカスレンズ（第４レンズＬ４）とから構成されて成る。第３レンズＬ３と第４レンズＬ４とは、接合レンズである。
【０２２１】
第３レンズ群（Ｇｒ３）は、光学絞りＳＴと、物体側に凸の正メニスカスレンズ（第５レンズＬ５）と、両凸の正レンズ（第６レンズＬ６）と、両凹の負レンズ（第７レンズＬ７）と、両凸の正レンズ（第８レンズＬ８）とから構成されて成る。光学絞りＳＴは、第５レンズＬ５の物体側に配置され、独立に移動する。光学絞りＳＴは、メカニカルシャッタであってもよい。第５レンズＬ５は、両面が非球面である。第６ないし第８レンズＬ６、Ｌ７、Ｌ８は、接合レンズである。第８レンズＬ８は、像側の面（片面）が非球面である。
【０２２２】
第４レンズ群（Ｇｒ４）は、両凹の負レンズ（第９レンズＬ９）から構成されて成る。第９レンズＬ９は、両面が非球面であり、樹脂材料製のレンズである。
【０２２３】
そして、第４レンズ群（Ｇｒ４）の像側には、フィルタとしての平行平板ＦＴを介して撮像素子ＳＲの受光面が配置されている。平行平板ＦＴは、各種光学フィルタや撮像素子のカバーガラス等である。
【０２２４】
この実施例１０の変倍光学系１Ｊでは、広角端（ＷＩＤＥ）から中間点（ＭＩＤＤＬＥ）を経て望遠端（ＴＥＬＥ）への変倍時に、図１７に示すように、第１レンズ群（Ｇｒ１）は、固定され、第２レンズ群（Ｇｒ２）は、略中間点で像側に凸となる曲線を描くように移動され、光学絞りＳＴは、物体に近づく方向に第３レンズ群（Ｇｒ３）の移動量に較べて緩やかに略直線的に移動され、第３レンズ群（Ｇｒ３）は、物体に近づく方向に略直線的に移動され、第４レンズ群（Ｇｒ４）は、物体に近づく方向に第３レンズ群（Ｇｒ３）の移動量に較べて緩やかに略直線的に移動される。このように広角端（ＷＩＤＥ）から望遠端（ＴＥＬＥ）への変倍において、第２ないし第４レンズ群（Ｇｒ２、Ｇｒ３、Ｇｒ４）および光学絞りＳＴは、移動し、第１レンズ群（Ｇｒ１）と光学絞りＳＴ、第３レンズ群（Ｇｒ３）および第４レンズ群（Ｇｒ４）のぞれぞれとは、互いの間隔が狭くなるように移動する。
【０２２５】
実施例１０の変倍光学系１Ｊにおける、各レンズのコンストラクションデータを以下に示す。
【０２２６】
数値実施例１０
単位  ｍｍ
面データ
面番号            ｒ        ｄ        ｎｄ        νｄ
物面              ∞        ∞
１              9.649      0.600      1.94595      17.98
２              4.964      1.591
３                ∞       5.177      1.84666      23.78
４                ∞      可変
５            -16.407      0.600      1.80610      40.73
６              4.812      0.940      1.92286      20.88
７             93.567      可変
８（絞り）        ∞      可変
９＊            4.108      1.357      1.49700      81.36
１０＊         32.658      0.436
１１            4.393      1.555      1.56883      56.04
１２          -16.498      0.767      1.90366      31.31
１３            3.029      1.152      1.58313      59.46
１４＊        -10.065      可変
１５＊         -5.006      0.600      1.53048      55.72
１６＊        317.282      可変
１７              ∞      0.500      1.51680      64.20
１８              ∞      0.500
像面              ∞
非球面データ
第９面
Ｋ＝0.0000e+000，Ａ４＝-1.2757e-003，Ａ６＝3.7837e-004，Ａ８＝-2.6104e-004，Ａ１０＝4.8339e-005，Ａ１２＝9.9700e-007，Ａ１４＝-1.2330e-006
第１０面
Ｋ＝0.0000e+000，Ａ４＝-1.4507e-004，Ａ６＝5.7765e-004，Ａ８＝-4.8633e-004，Ａ１０＝1.4399e-004，Ａ１２＝-2.0475e-005，Ａ１４＝6.6314e-007
第１４面
Ｋ＝0.0000e+000，Ａ４＝4.4975e-003，Ａ６＝2.5486e-005，Ａ８＝2.8987e-004，Ａ１０＝-9.1099e-005，Ａ１２＝1.8387e-005，Ａ１４＝-6.8066e-007
第１５面
Ｋ＝0.0000e+000，Ａ４＝1.6271e-004，Ａ６＝-7.8239e-005，Ａ８＝-2.3702e-004，Ａ１０＝1.0493e-004，Ａ１２＝-9.7374e-006，Ａ１４＝4.1925e-008
第１６面
Ｋ＝0.0000e+000，Ａ４＝-6.7212e-004，Ａ６＝9.6635e-006，Ａ８＝-1.9218e-004，Ａ１０＝9.0403e-005，Ａ１２＝-1.4616e-005，Ａ１４＝9.5536e-007
Ｖａｒｉａｂｌｅ  Ｄｉｓｔａｎｃｅ
広角端      中間点      望遠端
第４面と第５面間          1.524        2.013      0.724
第７面と第８面間          4.847        2.073      0.500
第８面と第９面間          0.574        0.366      0.100
第１４面と第１５面間      3.693        3.087      3.722
第１６面と第１７面間      1.088        4.186      6.678
各種データ
ズームデータ
ズーム比ｆｔ／ｆｗ    2.74
広角      中間      望遠
焦点距離        4.619      7.670      12.676
Ｆナンバ        3.500      4.961       6.794
画角           32.563    21.036      13.101
像高            2.950      2.950       2.950
レンズ全長     27.331    27.334      27.313
ＢＦ            1.918      5.019       7.491
ズームレンズ群データ
群      始面      終面      焦点距離
１      １        ４        -11.528
２      ５        ７        -28.889
３      ９      １４          5.828
４    １５      １６         -9.285
以上のようなレンズ配置、構成のもとでの、実施例１０の撮像レンズ１Ｊにおける球面収差（正弦条件）、非点収差および歪曲収差を図３３に示す。
【実施例１１】
【０２２７】
図１８は、実施例１１における変倍光学系におけるレンズ群の配列を示す断面図である。図３４は、実施例１１における変倍光学系の収差図である。
【０２２８】
実施例１１の変倍光学系１Ｋは、図１８に示すように、各レンズ群（Ｇｒ１、Ｇｒ２、Ｇｒ３、Ｇｒ４）が物体側から像側へ順に、全体として負の光学的パワーを有する第１レンズ群（Ｇｒ１）と、全体として負の光学的パワーを有する第２レンズ群（Ｇｒ２）と、光学絞りＳＴを含む全体として正の光学的パワーを有する第３レンズ群（Ｇｒ３）と、全体として負の光学的パワーを有する第４レンズ群（Ｇｒ４）とからなる負・負・正・負の４成分ズーム構成であり、ズーミングの際（変倍時）には、図９に示すように、第１レンズ群（Ｇｒ１）は、固定され、第２レンズ群（Ｇｒ２）は、移動し、第３レンズ群（Ｇｒ３）と第４レンズ群（Ｇｒ４）とは、それらの間隔が略同一もしくは増加するように移動し、光学絞りＳＴは、第３レンズ群（Ｇｒ３）と共に移動する。
【０２２９】
より詳しくは、実施例１１の変倍光学系１Ｋは、各レンズ群（Ｇｒ１、Ｇｒ２、Ｇｒ３、Ｇｒ４）が物体側から像側へ順に、次のように構成されている。
【０２３０】
第１レンズ群（Ｇｒ１）は、物体側に凸の負メニスカスレンズ（第１レンズＬ１）と、プリズム（Ｌ２）とから構成されて成る。
【０２３１】
第２レンズ群（Ｇｒ２）は、両凹の負レンズ（第３レンズＬ３）と、物体側に凸の正メニスカスレンズ（第４レンズＬ４）とから構成されて成る。第３レンズＬ３と第４レンズＬ４とは、接合レンズである。
【０２３２】
第３レンズ群（Ｇｒ３）は、光学絞りＳＴと、両凸の正レンズ（第５レンズＬ５）と、両凸の正レンズ（第６レンズＬ６）と、両凹の負レンズ（第７レンズＬ７）と、両凸の正レンズ（第８レンズＬ８）とから構成されて成る。光学絞りＳＴは、第５レンズＬ５の物体側に配置され、第３レンズ群（Ｇｒ３）と共に移動する。光学絞りＳＴは、メカニカルシャッタであってもよい。第５レンズＬ５は、両面が非球面である。第６ないし第８レンズＬ６、Ｌ７、Ｌ８は、接合レンズである。
【０２３３】
第４レンズ群（Ｇｒ４）は、像側に凸の負メニスカスレンズ（第９レンズＬ９）から構成されて成る。第９レンズＬ９は、両面が非球面であり、樹脂材料製のレンズである。
【０２３４】
そして、第４レンズ群（Ｇｒ４）の像側には、フィルタとしての平行平板ＦＴを介して撮像素子ＳＲの受光面が配置されている。平行平板ＦＴは、各種光学フィルタや撮像素子のカバーガラス等である。
【０２３５】
この実施例１１の変倍光学系１Ｋでは、広角端（ＷＩＤＥ）から中間点（ＭＩＤＤＬＥ）を経て望遠端（ＴＥＬＥ）への変倍時に、図９に示すように、第１レンズ群（Ｇｒ１）は、固定され、第２レンズ群（Ｇｒ２）は、略中間点で像側に凸となる曲線を描くように移動され、第３レンズ群（Ｇｒ３）は、物体に近づく方向に略直線的に移動され、第４レンズ群（Ｇｒ４）は、物体に近づく方向に、略中間点まで略直線的に移動されその後望遠端まで第３レンズ群（Ｇｒ３）の移動量に較べて著しく緩やかに移動され、そして、光学絞りＳＴは、第３レンズ群（Ｇｒ３）と共に移動する。このように広角端（ＷＩＤＥ）から望遠端（ＴＥＬＥ）への変倍において、第２ないし第４レンズ群（Ｇｒ２、Ｇｒ３、Ｇｒ４）は、移動し、第１レンズ群（Ｇｒ１）と第３レンズ群（Ｇｒ３）とは、互いの間隔が狭くなるように移動し、第１レンズ群（Ｇｒ１）と第４レンズ群（Ｇｒ４）とは、略中間点まで互いの間隔が狭くなるように移動し、その後望遠端まで互いの間隔が略一定もしくは若干拡がるように移動する。
【０２３６】
実施例１１の変倍光学系１Ｋにおける、各レンズのコンストラクションデータを以下に示す。
【０２３７】
数値実施例１１
単位  ｍｍ
面データ
面番号            ｒ        ｄ        ｎｄ        νｄ
物面              ∞        ∞
１              7.471      0.670      1.94595      17.98
２              4.268      1.613
３                ∞       5.761      1.84666      23.78
４                ∞      可変
５            -17.119      0.600      1.77250      49.65
６              4.703      0.993      1.92286      20.88
７             18.795      可変
８（絞り）        ∞       0.000
９＊            4.930      1.631      1.58311      59.46
１０＊         -7.700      0.100
１１           23.452      1.328      1.49700      81.61
１２           -7.613      0.992      1.83400      37.35
１３            3.941      2.155      1.49700      81.61
１４           -4.634      可変
１５＊         -3.654      0.600      1.53048      55.72
１６＊        -15.902      可変
１７              ∞      0.500      1.51680      64.20
１８              ∞      0.500
像面              ∞
非球面データ
第９面
Ｋ＝0.0000e+000，Ａ４＝-2.3753e-004，Ａ６＝-1.7313e-003，Ａ８＝1.1402e-003，Ａ１０＝-3.9249e-004，Ａ１２＝6.7619e-005，Ａ１４＝-4.6683e-006
第１０面
Ｋ＝0.0000e+000，Ａ４＝2.9277e-003，Ａ６＝-1.8481e-003，Ａ８＝1.2048e-003，Ａ１０＝-4.0835e-004，Ａ１２＝6.8793e-005，Ａ１４＝-4.6242e-006
第１５面
Ｋ＝0.0000e+000，Ａ４＝2.5542e-003，Ａ６＝3.5971e-004，Ａ８＝-2.1384e-004，Ａ１０＝8.3478e-005，Ａ１２＝-1.3025e-005，Ａ１４＝3.6981e-007
第１６面
Ｋ＝0.0000e+000，Ａ４＝1.0286e-004，Ａ６＝1.4591e-004，Ａ８＝-8.2314e-005，Ａ１０＝1.3598e-005，Ａ１２＝1.6052e-006，Ａ１４＝-4.5345e-007
Ｖａｒｉａｂｌｅ  Ｄｉｓｔａｎｃｅ
広角端      中間点      望遠端
第４面と第５面間          0.600        1.496      0.600
第７面と第８面間          7.039        3.663      1.500
第１４面と第１５面間      3.968        3.949      5.166
第１６面と第１７面間      0.951        3.450      5.291
各種データ
ズームデータ
ズーム比ｆｔ／ｆｗ    2.74
広角      中間      望遠
焦点距離        3.819      6.338      10.477
Ｆナンバ        2.880      3.924       5.133
画角           37.682    24.960      15.725
像高            2.950      2.950       2.950
レンズ全長     29.833    29.833      29.816
ＢＦ            1.784      4.283       6.107
ズームレンズ群データ
群      始面      終面      焦点距離
１      １        ４        -11.717
２      ５        ７        -15.914
３      ８      １４          5.999
４    １５      １６         -9.097
以上のようなレンズ配置、構成のもとでの、実施例１１の撮像レンズ１Ｋにおける球面収差（正弦条件）、非点収差および歪曲収差を図３４に示す。
【実施例１２】
【０２３８】
図１９は、実施例１２における変倍光学系におけるレンズ群の配列を示す断面図である。図３５は、実施例１２における変倍光学系の収差図である。
【０２３９】
実施例１２の変倍光学系１Ｌは、図１９に示すように、各レンズ群（Ｇｒ１、Ｇｒ２、Ｇｒ３、Ｇｒ４）が物体側から像側へ順に、全体として負の光学的パワーを有する第１レンズ群（Ｇｒ１）と、全体として負の光学的パワーを有する第２レンズ群（Ｇｒ２）と、光学絞りＳＴを含む全体として正の光学的パワーを有する第３レンズ群（Ｇｒ３）と、全体として負の光学的パワーを有する第４レンズ群（Ｇｒ４）とからなる負・負・正・負の４成分ズーム構成であり、ズーミングの際（変倍時）には、図９に示すように、第１レンズ群（Ｇｒ１）は、固定され、第２レンズ群（Ｇｒ２）は、移動し、第３レンズ群（Ｇｒ３）と第４レンズ群（Ｇｒ４）とは、それらの間隔が略同一もしくは増加するように移動し、光学絞りＳＴは、第３レンズ群（Ｇｒ３）と共に移動する。
【０２４０】
より詳しくは、実施例１２の変倍光学系１Ｌは、各レンズ群（Ｇｒ１、Ｇｒ２、Ｇｒ３、Ｇｒ４）が物体側から像側へ順に、次のように構成されている。
【０２４１】
第１レンズ群（Ｇｒ１）は、物体側に凸の負メニスカスレンズ（第１レンズＬ１）と、プリズム（Ｌ２）とから構成されて成る。
【０２４２】
第２レンズ群（Ｇｒ２）は、両凹の負レンズ（第３レンズＬ３）と、物体側に凸の正メニスカスレンズ（第４レンズＬ４）とから構成されて成る。第３レンズＬ３と第４レンズＬ４とは、接合レンズである。
【０２４３】
第３レンズ群（Ｇｒ３）は、光学絞りＳＴと、物体側に凸の正メニスカスレンズ（第５レンズＬ５）と、両凸の正レンズ（第６レンズＬ６）と、両凹の負レンズ（第７レンズＬ７）と、両凸の正レンズ（第８レンズＬ８）とから構成されて成る。光学絞りＳＴは、第５レンズＬ５の物体側に配置され、第３レンズ群（Ｇｒ３）と共に移動する。光学絞りＳＴは、メカニカルシャッタであってもよい。第５レンズＬ５は、両面が非球面である。第６ないし第８レンズＬ６、Ｌ７、Ｌ８は、接合レンズである。第８レンズＬ８は、像側の面（片面）が非球面である。
【０２４４】
第４レンズ群（Ｇｒ４）は、像側に凸の負メニスカスレンズ（第９レンズＬ９）から構成されて成る。第９レンズＬ９は、両面が非球面であり、樹脂材料製のレンズである。
【０２４５】
そして、第４レンズ群（Ｇｒ４）の像側には、フィルタとしての平行平板ＦＴを介して撮像素子ＳＲの受光面が配置されている。平行平板ＦＴは、各種光学フィルタや撮像素子のカバーガラス等である。
【０２４６】
この実施例１２の変倍光学系１Ｌでは、広角端（ＷＩＤＥ）から中間点（ＭＩＤＤＬＥ）を経て望遠端（ＴＥＬＥ）への変倍時に、図９に示すように、第１レンズ群（Ｇｒ１）は、固定され、第２レンズ群（Ｇｒ２）は、略中間点で像側に凸となる曲線を描くように移動され、第３レンズ群（Ｇｒ３）は、物体に近づく方向に略直線的に移動され、第４レンズ群（Ｇｒ４）は、物体に近づく方向に、略中間点まで略直線的に移動されその後望遠端まで第３レンズ群（Ｇｒ３）の移動量に較べて著しく緩やかに移動され、そして、光学絞りＳＴは、第３レンズ群（Ｇｒ３）と共に移動する。このように広角端（ＷＩＤＥ）から望遠端（ＴＥＬＥ）への変倍において、第２ないし第４レンズ群（Ｇｒ２、Ｇｒ３、Ｇｒ４）は、移動し、第１レンズ群（Ｇｒ１）と第３レンズ群（Ｇｒ３）とは、互いの間隔が狭くなるように移動し、第１レンズ群（Ｇｒ１）と第４レンズ群（Ｇｒ４）とは、略中間点まで互いの間隔が狭くなるように移動し、その後望遠端まで互いの間隔が略一定もしくは若干拡がるように移動する。
【０２４７】
実施例１２の変倍光学系１Ｌにおける、各レンズのコンストラクションデータを以下に示す。
【０２４８】
数値実施例１２
単位  ｍｍ
面データ
面番号            ｒ        ｄ        ｎｄ        νｄ
物面              ∞        ∞
１              9.709      0.600      1.94595      17.98
２              5.023      1.400
３                ∞       5.216      1.84666      23.78
４                ∞      可変
５            -16.691      0.600      1.80610      40.73
６              4.653      0.977      1.92286      20.88
７            110.009      可変
８（絞り）        ∞       0.000
９＊            4.562      1.290      1.49700      81.36
１０＊         51.813      0.100
１１            4.167      1.497      1.56883      56.04
１２          -15.599      0.894      1.90366      31.31
１３            3.000      1.573      1.58313      59.46
１４＊        -10.321      可変
１５＊         -4.290      0.600      1.53048      55.72
１６＊        -41.325      可変
１７              ∞      0.500      1.51680      64.20
１８              ∞      0.500
像面              ∞
非球面データ
第９面
Ｋ＝0.0000e+000，Ａ４＝-7.8223e-004，Ａ６＝3.9597e-004，Ａ８＝-2.5020e-004，Ａ１０＝3.5524e-005，Ａ１２＝6.0437e-006，Ａ１４＝-1.8615e-006
第１０面
Ｋ＝0.0000e+000，Ａ４＝1.3061e-004，Ａ６＝5.5237e-004，Ａ８＝-4.9345e-004，Ａ１０＝1.6429e-004，Ａ１２＝-2.9066e-005，Ａ１４＝1.8773e-006
第１４面
Ｋ＝0.0000e+000，Ａ４＝3.9014e-003，Ａ６＝-3.8298e-006，Ａ８＝2.8963e-004，Ａ１０＝-8.1309e-005，Ａ１２＝1.3710e-005，Ａ１４＝-6.8066e-007
第１５面
Ｋ＝0.0000e+000，Ａ４＝7.8516e-004，Ａ６＝6.5290e-004，Ａ８＝-5.9548e-004，Ａ１０＝2.4475e-004，Ａ１２＝-2.9396e-005，Ａ１４＝4.1924e-008
第１６面
Ｋ＝0.0000e+000，Ａ４＝2.0884e-004，Ａ６＝4.6350e-004，Ａ８＝-3.4046e-004，Ａ１０＝9.9118e-005，Ａ１２＝-4.1401e-006，Ａ１４＝-7.6327e-007
Ｖａｒｉａｂｌｅ  Ｄｉｓｔａｎｃｅ
広角端      中間点      望遠端
第４面と第５面間          2.035        2.165      0.600
第７面と第８面間          4.817        2.138      0.500
第１４面と第１５面間      3.785        3.120      3.682
第１６面と第１７面間      1.115        4.328      6.969
各種データ
ズームデータ
ズーム比ｆｔ／ｆｗ    2.74
広角      中間      望遠
焦点距離        4.929      8.186      13.525
Ｆナンバ        3.500      4.943       6.670
画角           30.903    19.818      12.304
像高            2.950      2.950       2.950
レンズ全長     27.332    27.337      27.315
ＢＦ            1.946      5.165       7.784
ズームレンズ群データ
群      始面      終面      焦点距離
１      １        ４        -11.731
２      ５        ７        -31.828
３      ８      １４          5.874
４    １５      １６         -9.075
以上のようなレンズ配置、構成のもとでの、実施例１２の撮像レンズ１Ｌにおける球面収差（正弦条件）、非点収差および歪曲収差を図３５に示す。
【実施例１３】
【０２４９】
図２０は、実施例１３における変倍光学系におけるレンズ群の配列を示す断面図である。図２１は、実施例１３の変倍光学系の変倍における各レンズ群の移動の様子を示す図である。図３６は、実施例１３における変倍光学系の収差図である。
【０２５０】
実施例１３の変倍光学系１Ｍは、図２０に示すように、各レンズ群（Ｇｒ１、Ｇｒ２、Ｇｒ３、Ｇｒ４、Ｇｒ５）が物体側から像側へ順に、全体として負の光学的パワーを有する第１レンズ群（Ｇｒ１）と、全体として負の光学的パワーを有する第２レンズ群（Ｇｒ２）と、光学絞りＳＴを含む全体として正の光学的パワーを有する第３レンズ群（Ｇｒ３）と、全体として負の光学的パワーを有する第４レンズ群（Ｇｒ４）と、全体として正の光学的パワーを有する第５レンズ群（Ｇｒ５）とからなる負・負・正・負・正の５成分ズーム構成であり、ズーミングの際（変倍時）には、図２１に示すように、第１レンズ群（Ｇｒ１）は、固定され、第２レンズ群（Ｇｒ２）は、移動し、第３レンズ群（Ｇｒ３）と第４レンズ群（Ｇｒ４）とは、それらの間隔が増加するように移動し、第５レンズ群（Ｇｒ５）は、固定される。
【０２５１】
より詳しくは、実施例１３の変倍光学系１Ｍは、各レンズ群（Ｇｒ１、Ｇｒ２、Ｇｒ３、Ｇｒ４、Ｇｒ５）が物体側から像側へ順に、次のように構成されている。
【０２５２】
第１レンズ群（Ｇｒ１）は、物体側に凸の負メニスカスレンズ（第１レンズＬ１）と、プリズム（Ｌ２）とから構成されて成る。
【０２５３】
第２レンズ群（Ｇｒ２）は、両凹の負レンズ（第３レンズＬ３）と、物体側に凸の正メニスカスレンズ（第４レンズＬ４）とから構成されて成る。第３レンズＬ３と第４レンズＬ４とは、接合レンズである。
【０２５４】
第３レンズ群（Ｇｒ３）は、両凸の正レンズ（第５レンズＬ５）と、光学絞りＳＴ（不図示）と、両凸の正レンズ（第６レンズＬ６）と、両凹の負レンズ（第７レンズＬ７）と、両凸の正レンズ（第８レンズＬ８）とから構成されて成る。第５レンズＬ５は、両面が非球面である。光学絞りＳＴは、第５レンズＬ５の像側のレンズ面に配置され、第３レンズ群（Ｇｒ３）と共に移動する。第６ないし第８レンズＬ６、Ｌ７、Ｌ８は、接合レンズである。第８レンズＬ８は、像側の面（片面）が非球面である。
【０２５５】
第４レンズ群（Ｇｒ４）は、両凹の負レンズ（第９レンズＬ９）から構成されて成る。第９レンズＬ９は、両面が非球面であり、樹脂材料製のレンズである。
【０２５６】
第５レンズ群（Ｇｒ５）は、物体側に凸の正メニスカスレンズ（第１０レンズＬ１０）から構成されて成る。第１０レンズＬ１０は、両面が非球面であり、樹脂材料製のレンズである。
【０２５７】
そして、第５レンズ群（Ｇｒ５）の像側には、フィルタとしての平行平板ＦＴを介して撮像素子ＳＲの受光面が配置されている。平行平板ＦＴは、各種光学フィルタや撮像素子のカバーガラス等である。
【０２５８】
この実施例１３の変倍光学系１Ｍでは、広角端（ＷＩＤＥ）から中間点（ＭＩＤＤＬＥ）を経て望遠端（ＴＥＬＥ）への変倍時に、図２１に示すように、第１レンズ群（Ｇｒ１）は、固定され、第２レンズ群（Ｇｒ２）は、略中間点で像側に凸となる曲線を描くように移動され、第３レンズ群（Ｇｒ３）は、物体に近づく方向に略直線的に移動され、第４レンズ群（Ｇｒ４）は、物体に近づく方向に第３レンズ群（Ｇｒ３）の移動量に較べて緩やかに略直線的に移動され、第５レンズ群（Ｇｒ５）は、固定され、そして、光学絞りＳＴは、第３レンズ群（Ｇｒ３）と共に移動する。このように広角端（ＷＩＤＥ）から望遠端（ＴＥＬＥ）への変倍において、第２ないし第４レンズ群（Ｇｒ２、Ｇｒ３、Ｇｒ４）は、移動し、第１レンズ群（Ｇｒ１）と第３レンズ群（Ｇｒ３）および第４レンズ群（Ｇｒ４）のぞれぞれとは、互いの間隔が狭くなるように移動する。
【０２５９】
実施例１３の変倍光学系１Ｍにおける、各レンズのコンストラクションデータを以下に示す。
【０２６０】
数値実施例１３
単位  ｍｍ
面データ
面番号            ｒ        ｄ        ｎｄ        νｄ
物面              ∞        ∞
１              9.820      0.656      1.94595      17.98
２              5.430      1.508
３                ∞       6.070      1.84666      23.78
４                ∞      可変
５            -23.740      0.600      1.80610      40.73
６              5.383      1.077      1.92286      20.88
７             33.539      可変
８＊            7.393      1.533      1.49700      81.36
９＊（絞り）   -9.298      2.005
１０            6.078      1.855      1.49700      81.61
１１          -11.756      0.499      1.83400      37.34
１２            3.246      1.510      1.58913      61.25
１３＊         -5.782      可変
１４＊         -5.206      0.605      1.53048      55.72
１５＊         10.958      可変
１６＊         11.911      0.584      1.63219      23.42
１７＊         26.703      0.595
１８              ∞      0.500      1.51680      64.20
１９              ∞      0.500
像面              ∞
非球面データ
第８面
Ｋ＝0.0000e+000，Ａ４＝-3.9218e-003，Ａ６＝9.3476e-006，Ａ８＝-1.1874e-004，Ａ１０＝-7.5621e-006，Ａ１２＝6.6668e-006，Ａ１４＝-9.3014e-007
第９面
Ｋ＝0.0000e+000，Ａ４＝-3.2549e-003，Ａ６＝2.5446e-004，Ａ８＝-2.8406e-004，Ａ１０＝6.6524e-005，Ａ１２＝-8.4231e-006，Ａ１４＝3.5031e-007
第１３面
Ｋ＝0.0000e+000，Ａ４＝2.3306e-003，Ａ６＝-2.1621e-004，Ａ８＝-2.1511e-006，Ａ１０＝7.0489e-006，Ａ１２＝-2.2819e-006，Ａ１４＝1.8639e-007
第１４面
Ｋ＝0.0000e+000，Ａ４＝1.5789e-003，Ａ６＝-1.0449e-003，Ａ８＝-2.0428e-004，Ａ１０＝9.5814e-005，Ａ１２＝-1.0748e-005，Ａ１４＝4.2392e-008
第１５面
Ｋ＝0.0000e+000，Ａ４＝-3.0669e-003，Ａ６＝-2.8863e-004，Ａ８＝-1.2917e-004，Ａ１０＝2.2730e-005，Ａ１２＝4.7379e-006，Ａ１４＝-9.2321e-007
第１６面
Ｋ＝0.0000e+000，Ａ４＝-1.3816e-003，Ａ６＝-8.1028e-005，Ａ８＝-2.4204e-005，Ａ１０＝2.0528e-006
第１７面
Ｋ＝0.0000e+000，Ａ４＝7.8893e-004，Ａ６＝-1.3041e-004，Ａ８＝-3.5725e-005，Ａ１０＝3.2869e-006
Ｖａｒｉａｂｌｅ  Ｄｉｓｔａｎｃｅ
広角端      中間点      望遠端
第４面と第５面間          0.600        2.556      1.588
第７面と第８面間          7.468        2.864      0.500
第１３面と第１４面間      2.342        2.351      2.842
第１５面と第１６面間      0.993        3.632      6.474
各種データ
ズームデータ
ズーム比ｆｔ／ｆｗ    2.74
広角      中間      望遠
焦点距離        4.550      7.553      12.487
Ｆナンバ        2.880      3.983       5.367
画角           32.960     21.334      13.292
像高            2.950      2.950       2.950
レンズ全長     31.332    31.334      31.311
ＢＦ            1.428      1.429       1.407
ズームレンズ群データ
群      始面      終面      焦点距離
１      １        ４        -13.843
２      ５        ７        -24.978
３      ８      １３          6.272
４    １４      １５         -6.568
５    １６      １７         33.501
以上のようなレンズ配置、構成のもとでの、実施例１３の撮像レンズ１Ｍにおける球面収差（正弦条件）、非点収差および歪曲収差を図３６に示す。
【実施例１４】
【０２６１】
図２２は、実施例１４における変倍光学系におけるレンズ群の配列を示す断面図である。図２３は、実施例１４の変倍光学系の変倍における各レンズ群の移動の様子を示す図である。図２７は、実施例１４における変倍光学系の収差図である。
【０２６２】
実施例１４の変倍光学系１Ｎは、図２２に示すように、各レンズ群（Ｇｒ１、Ｇｒ２、Ｇｒ３、Ｇｒ４）が物体側から像側へ順に、全体として負の光学的パワーを有する第１レンズ群（Ｇｒ１）と、全体として負の光学的パワーを有する第２レンズ群（Ｇｒ２）と、光学絞りＳＴを含む全体として正の光学的パワーを有する第３レンズ群（Ｇｒ３）と、全体として負の光学的パワーを有する第４レンズ群（Ｇｒ４）とからなる負・負・正・負の４成分ズーム構成であり、ズーミングの際（変倍時）には、図２３に示すように、第１レンズ群（Ｇｒ１）は、固定され、第２レンズ群（Ｇｒ２）は、移動し、第３レンズ群（Ｇｒ３）と第４レンズ群（Ｇｒ４）とは、それらの間隔が減少するように移動し、光学絞りＳＴは、第３レンズ群（Ｇｒ３）と共に移動する。
【０２６３】
より詳しくは、実施例１４の変倍光学系１Ｎは、各レンズ群（Ｇｒ１、Ｇｒ２、Ｇｒ３、Ｇｒ４）が物体側から像側へ順に、次のように構成されている。
【０２６４】
第１レンズ群（Ｇｒ１）は、物体側に凸の負メニスカスレンズ（第１レンズＬ１）と、プリズム（Ｌ２）とから構成されて成る。
【０２６５】
第２レンズ群（Ｇｒ２）は、両凹の負レンズ（第３レンズＬ３）と、物体側に凸の正メニスカスレンズ（第４レンズＬ４）とから構成されて成る。第３レンズＬ３と第４レンズＬ４とは、接合レンズである。
【０２６６】
第３レンズ群（Ｇｒ３）は、光学絞りＳＴと、両凸の正レンズ（第５レンズＬ５）と、両凸の正レンズ（第６レンズＬ６）と、両凹の負レンズ（第７レンズＬ７）と、両凸の正レンズ（第８レンズＬ８）とから構成されて成る。光学絞りＳＴは、第５レンズＬ５の物体側に配置され、第３レンズ群（Ｇｒ３）と共に移動する。光学絞りＳＴは、メカニカルシャッタであってもよい。第５レンズＬ５は、両面が非球面である。第６ないし第８レンズＬ６、Ｌ７、Ｌ８は、接合レンズである。第８レンズＬ８は、像側の面（片面）が非球面である。
【０２６７】
第４レンズ群（Ｇｒ４）は、両凹の負レンズ（第９レンズＬ９）から構成されて成る。第９レンズＬ９は、両面が非球面であり、樹脂材料製のレンズである。
【０２６８】
そして、第４レンズ群（Ｇｒ４）の像側には、フィルタとしての平行平板ＦＴを介して撮像素子ＳＲの受光面が配置されている。平行平板ＦＴは、各種光学フィルタや撮像素子のカバーガラス等である。
【０２６９】
この実施例１４の変倍光学系１Ｎでは、広角端（ＷＩＤＥ）から中間点（ＭＩＤＤＬＥ）を経て望遠端（ＴＥＬＥ）への変倍時に、図２３に示すように、第１レンズ群（Ｇｒ１）は、固定され、第２レンズ群（Ｇｒ２）は、略中間点で像側に凸となる曲線を描くように移動され、第３レンズ群（Ｇｒ３）は、物体に近づく方向に第４レンズ群（Ｇｒ４）の移動量に較べて緩やかに略直線的に移動され、第４レンズ群（Ｇｒ４）は、物体に近づく方向に略直線的に移動され、そして、光学絞りＳＴは、第３レンズ群（Ｇｒ３）と共に移動する。このように広角端（ＷＩＤＥ）から望遠端（ＴＥＬＥ）への変倍において、第２ないし第４レンズ群（Ｇｒ２、Ｇｒ３、Ｇｒ４）は、移動し、第１レンズ群（Ｇｒ１）と第３レンズ群（Ｇｒ３）および第４レンズ群（Ｇｒ４）のぞれぞれとは、互いの間隔が狭くなるように移動する。
【０２７０】
実施例１４の変倍光学系１Ｎにおける、各レンズのコンストラクションデータを以下に示す。
【０２７１】
数値実施例１４
単位  ｍｍ
面データ
面番号            ｒ        ｄ        ｎｄ        νｄ
物面              ∞        ∞
１             12.854      0.734      1.94595      17.98
２              6.518      1.269
３                ∞       6.498      1.84666      23.78
４                ∞      可変
５            -16.670      0.600      1.80610      40.73
６              5.436      1.056      1.92286      20.88
７            134.661      可変
８（絞り）        ∞       0.000
９＊            4.920      1.728      1.49700      81.36
１０＊        -35.514      0.349
１１            5.892      1.657      1.49700      81.61
１２           -9.786      1.175      1.83400      37.34
１３            3.000      2.287      1.58913      61.25
１４＊         -5.952      可変
１５＊         -4.911      0.600      1.53048      55.72
１６＊         24.808      可変
１７              ∞      0.500      1.51680      64.20
１８              ∞      0.500
像面              ∞
非球面データ
第９面
Ｋ＝0.0000e+000，Ａ４＝-1.4278e-003，Ａ６＝4.0896e-004，Ａ８＝-1.1016e-004，Ａ１０＝-8.7832e-006，Ａ１２＝6.7995e-006，Ａ１４＝-7.3379e-007
第１０面
Ｋ＝0.0000e+000，Ａ４＝-3.6777e-004，Ａ６＝7.3259e-004，Ａ８＝-3.3666e-004，Ａ１０＝6.8722e-005，Ａ１２＝-6.4575e-006，Ａ１４＝1.5767e-007
第１４面
Ｋ＝0.0000e+000，Ａ４＝1.4400e-003，Ａ６＝-2.0781e-004，Ａ８＝7.0679e-005，Ａ１０＝-7.5826e-006，Ａ１２＝-9.7445e-007，Ａ１４＝1.8455e-007
第１５面
Ｋ＝0.0000e+000，Ａ４＝8.8361e-004，Ａ６＝2.6413e-004，Ａ８＝-2.5302e-004，Ａ１０＝1.0426e-004，Ａ１２＝-1.0748e-005，Ａ１４＝4.2392e-008
第１６面
Ｋ＝0.0000e+000，Ａ４＝-5.3592e-004，Ａ６＝3.0939e-004，Ａ８＝-1.5654e-004，Ａ１０＝3.1223e-005，Ａ１２＝4.7042e-006，Ａ１４＝-9.2321e-007
Ｖａｒｉａｂｌｅ  Ｄｉｓｔａｎｃｅ
広角端      中間点      望遠端
第４面と第５面間          2.627        3.304      1.375
第７面と第８面間          5.350        2.119      0.500
第１４面と第１５面間      3.495        2.821      2.821
第１６面と第１７面間      1.077        4.304      7.853
各種データ
ズームデータ
ズーム比ｆｔ／ｆｗ    2.74
広角      中間      望遠
焦点距離        5.022      8.343      13.784
Ｆナンバ        2.880      4.086       5.592
画角           30.430    19.474      12.080
像高            2.950      2.950       2.950
レンズ全長     31.332    31.339      31.318
ＢＦ            1.909      5.143       8.671
ズームレンズ群データ
群      始面      終面      焦点距離
１      １        ４        -14.815
２      ５        ７        -29.767
３      ８      １４          6.456
４    １５      １６         -7.674
以上のようなレンズ配置、構成のもとでの、実施例１４の撮像レンズ１Ｎにおける球面収差（正弦条件）、非点収差および歪曲収差を図３７に示す。
【０２７２】
上記に列挙した実施例１〜１４の変倍光学系１Ａ〜１Ｎに、上述した条件式（１）〜（１５）を当てはめた場合のそれぞれの数値を、表１および表２に示す。
【０２７３】
【表１】
0005445307.tif 000002
【０２７４】
【表２】
0005445307.tif 000003
【０２７５】
以上、説明したように、上記実施例１〜１４における変倍光学系１Ａ〜１Ｎは、本発明に係る要件を満足している結果、約２〜３倍程度の比較的高い変倍比と、低コスト化を図りつつ、コンパクト化とを達成することができる。そして、上記実施例１〜１４における変倍光学系１Ａ〜１Ｎは、デジタル機器に搭載する上で、特に携帯端末に搭載する上でコンパクト化が充分に達成され、また、高画素な撮像素子１７を採用することができる。
【０２７６】
例えば、５Ｍピクセル、８Ｍピクセルおよび１０Ｍピクセル等のクラス（グレード）の高画素な撮像素子１７は、撮像素子１７のサイズが一定の場合には画素ピッチが短くなるため（画素面積が狭くなるため）、変倍光学系１は、この画素ピッチに応じた解像度が必要となり、その所要の解像度で例えばＭＴＦで変倍光学系１を評価した場合に例えば仕様等によって規定された所定の範囲内に諸収差を抑える必要があるが、上記実施例１〜１４における変倍光学系１Ａ〜１Ｎは、各収差図に示す通り、所定の範囲内で諸収差が抑えられている。
【０２７７】
なお、上記実施例１〜１４では、連続的に変倍する変倍光学系１Ａ〜１Ｎを示しているが、よりコンパクト化するために、同一の光学構成での２焦点切り換えの変倍光学系１であってもよい。
【０２７８】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【符号の説明】
【０２７９】
ＡＸ  光軸
１、１Ａ〜１Ｎ  変倍光学系
３  デジタル機器
５  携帯電話機
１１、Ｇｒ１  第１レンズ群
１２、Ｇｒ２  第２レンズ群
１３、Ｇｒ３  第３レンズ群
１４、Ｇｒ４  第４レンズ群
１７、ＳＲ  撮像素子
２１  撮像装置
【図１】
0005445307.tif 000004
【図２】
0005445307.tif 000005
【図３】
0005445307.tif 000006
【図４】
0005445307.tif 000007
【図５】
0005445307.tif 000008
【図６】
0005445307.tif 000009
【図７】
0005445307.tif 000010
【図８】
0005445307.tif 000011
【図９】
0005445307.tif 000012
【図１０】
0005445307.tif 000013
【図１１】
0005445307.tif 000014
【図１２】
0005445307.tif 000015
【図１３】
0005445307.tif 000016
【図１４】
0005445307.tif 000017
【図１５】
0005445307.tif 000018
【図１６】
0005445307.tif 000019
【図１７】
0005445307.tif 000020
【図１８】
0005445307.tif 000021
【図１９】
0005445307.tif 000022
【図２０】
0005445307.tif 000023
【図２１】
0005445307.tif 000024
【図２２】
0005445307.tif 000025
【図２３】
0005445307.tif 000026
【図２４】
0005445307.tif 000027
【図２５】
0005445307.tif 000028
【図２６】
0005445307.tif 000029
【図２７】
0005445307.tif 000030
【図２８】
0005445307.tif 000031
【図２９】
0005445307.tif 000032
【図３０】
0005445307.tif 000033
【図３１】
0005445307.tif 000034
【図３２】
0005445307.tif 000035
【図３３】
0005445307.tif 000036
【図３４】
0005445307.tif 000037
【図３５】
0005445307.tif 000038
【図３６】
0005445307.tif 000039
【図３７】
0005445307.tif 000040